(57)【要約】【課題】作業のスケジュールの立案の容易化が図られる計画支援装置、計画支援方法、及び計画支援プログラムを提供する。【解決手段】区切り位置データ作成処理部２２は、複数の要素動作によって構成される一連の作業を撮影した原動画データを用いて、各々の要素動作の区切り目の、原動画データにおける時間軸上の位置を特定する区切り位置データを作成する。要素動作リスト作成処理部２３は、要素動作別に、その要素動作の属性情報と、その要素動作の所要時間とが対応付けられた要素動作リストを作成する。ユーザは、要素動作リストの中から所望の複数の要素動作を選択することにより、選択された要素動作を、指定された時間順序で遂行する旨を表す選択タイムラインを作成する。選択タイムライン動画再生処理部２５は、選択タイムラインが表す内容に従って要素動作が推移する選択タイムライン動画を再生する。【選択図】図２
2019061521.tif 000002
【特許請求の範囲】
【請求項１】
複数の要素動作によって構成される一連の作業を撮影することにより得られた原動画データを取得する原動画データ取得手段と、
前記原動画データ取得手段によって取得された前記原動画データを用いて、各々の前記要素動作の前記一連の作業の中における区切り目の、前記原動画データにおける時間軸上の位置を特定する区切り位置データを作成する区切り位置データ作成手段と、
各々の前記要素動作に対して、該要素動作の属性を表す属性情報をユーザから受け付けると共に、前記区切り位置データ作成手段によって作成される前記区切り位置データが表す前記区切り目同士の前記時間軸上の間隔によって特定される該要素動作の所要時間を算出することにより、前記要素動作別に前記属性情報と前記所要時間とが対応付けられた要素動作リストを作成し、ユーザに提示する要素動作リスト作成手段と、
ユーザが、前記要素動作リスト作成手段によって提示された前記要素動作リストの中から所望の複数の前記要素動作を、該要素動作の間の時間順序を指定する態様で選択することにより、選択された前記要素動作を、指定された前記時間順序で遂行する旨を表す選択タイムラインを作成する作成環境を提供する選択タイムライン作成支援手段と、
前記区切り位置データと前記原動画データとを用いて、前記選択タイムラインが表す内容に従って、前記選択された前記要素動作が前記指定された前記時間順序で推移する選択タイムライン動画を再生する選択タイムライン動画再生手段と、
を備える、計画支援装置。
【請求項２】
前記区切り位置データ作成手段が、
前記原動画データが表す原動画を再生する原動画再生手段と、
ユーザが、前記原動画再生手段によって再生される前記原動画を見ながら、前記要素動作の区切り目となるタイミングで区切りを指示するための区切り指示手段と、
前記区切り指示手段によって前記区切りが指示されるたびに、該指示が与えられたタイミングの、前記原動画データにおける前記時間軸上の原点からの経過時刻を表す経過時刻データを作成する経過時刻データ作成手段と、を有し、
前記区切り位置データが、前記区切りの指示の各々に対して前記経過時刻データ作成手段によって作成された前記経過時刻データによって構成されている、
請求項１に記載の計画支援装置。
【請求項３】
前記要素動作リスト作成手段が、
前記区切り指示手段によって区切りが指示されるたびに、前記原動画再生手段による前記原動画の再生を一時停止させる再生一時停止処理と、
前記原動画の再生が一時停止された状態で、前記区切り指示手段によって前回指示された区切りから今回指示された区切りまでの前記原動画の内容が表す前記要素動作について、前記属性情報の指定を受け付ける属性情報受け付け処理と、
該要素動作についての前記属性情報がユーザによって指定された場合に、該要素動作と、該属性情報と、該前回指示された区切りについての前記経過時刻データと、該今回指示された区切りについての前記経過時刻データと、の対応付けを行うと共に、前記原動画再生手段による前記原動画の再生を再開させる再生再開処理と、
を行う、請求項２に記載の計画支援装置。
【請求項４】
前記原動画再生手段が、
前記区切り指示手段による、前記一連の作業における最初の１つ目の前記要素動作の始まりを表す前記区切りの指示を、前記原動画再生手段に対する前記原動画の再生開始の指示と兼ねるか否かを予め設定する環境をユーザに提供する、
請求項２又は３に記載の計画支援装置。
【請求項５】
前記要素動作リスト作成手段が、
前記属性情報をユーザから受け付ける際に、該属性情報を構成する項目を表す雛型をユーザに提示する属性情報入力支援処理を行う、
請求項１から４のいずれか１項に記載の計画支援装置。
【請求項６】
前記要素動作リスト作成手段によって作成された前記要素動作リストを、該要素動作リストを作成する元となった前記原動画データを特定する原動画データ特定情報と対応付けて蓄積する処理を行う要素動作リスト蓄積手段、をさらに備え、
前記要素動作リスト作成手段が、前記要素動作リスト蓄積手段によって過去に蓄積された前記要素動作リストの中から、所望の１つ又は複数の前記要素動作リストを、前記原動画データ特定情報を指定することにより選択する選択環境をユーザに提供し、選択された前記要素動作リストをユーザに提示する、
請求項１から５のいずれか１項に記載の計画支援装置。
【請求項７】
ユーザが、前記選択タイムラインを作成する際に、前記要素動作リストの中から任意の前記要素動作を仮選択することができ、
前記選択タイムライン作成支援手段が、前記区切り位置データと前記原動画データとを用いて、前記一連の作業のうち前記仮選択された前記要素動作のみを表す動画を再生する制御を行う、
請求項１から６のいずれか１項に記載の計画支援装置。
【請求項８】
前記選択タイムラインの構成を図案化したチャートを作成し、ユーザに提示する図案化手段、をさらに備える、
請求項１から７のいずれか１項に記載の計画支援装置。
【請求項９】
前記属性情報が、互いに観点の異なる第１項目と第２項目とを含み、
前記図案化手段が、前記第１項目について集計した前記チャートを作成するか、前記第２項目について集計した前記チャートを作成するかを予め設定する設定環境を提供する、
請求項８に記載の計画支援装置。
【請求項１０】
複数の要素動作によって構成される一連の作業を撮影することにより得られた原動画データを用いて、各々の前記要素動作の前記一連の作業の中における区切り目の、前記原動画データにおける時間軸上の位置を特定する区切り位置データを作成する区切り位置データ作成ステップと、
各々の前記要素動作に対して、該要素動作の属性を表す属性情報をユーザから受け付けると共に、前記区切り位置データ作成ステップにおいて作成される前記区切り位置データが表す前記区切り目同士の前記時間軸上の間隔によって特定される該要素動作の所要時間を算出することにより、前記要素動作別に前記属性情報と前記所要時間とが対応付けられた要素動作リストを作成する要素動作リスト作成ステップと、
ユーザが、前記要素動作リスト作成ステップにおいて作成された前記要素動作リストの中から所望の複数の前記要素動作を、該要素動作の間の時間順序を指定する態様で選択することにより、選択された前記要素動作を、指定された前記時間順序で遂行する旨を表す選択タイムラインを作成する選択タイムライン作成ステップと、
前記区切り位置データと前記原動画データとを用いて、前記選択タイムラインが表す内容に従って、前記選択された前記要素動作が前記指定された前記時間順序で推移する選択タイムライン動画を再生する選択タイムライン動画再生ステップと、
を含む、計画支援方法。
【請求項１１】
コンピュータに、
複数の要素動作によって構成される一連の作業を撮影することにより得られた原動画データを取得する原動画データ取得機能と、
前記原動画データ取得機能によって取得された前記原動画データを用いて、各々の前記要素動作の前記一連の作業の中における区切り目の、前記原動画データにおける時間軸上の位置を特定する区切り位置データを作成する区切り位置データ作成機能と、
各々の前記要素動作に対して、該要素動作の属性を表す属性情報をユーザから受け付けると共に、前記区切り位置データ作成機能によって作成される前記区切り位置データが表す前記区切り目同士の前記時間軸上の間隔によって特定される該要素動作の所要時間を算出することにより、前記要素動作別に前記属性情報と前記所要時間とが対応付けられた要素動作リストを作成し、ユーザに提示する要素動作リスト作成機能と、
ユーザが、前記要素動作リスト作成機能によって提示された前記要素動作リストの中から所望の複数の前記要素動作を、該要素動作の間の時間順序を指定する態様で選択することにより、選択された前記要素動作を、指定された前記時間順序で遂行する旨を表す選択タイムラインを作成する作成環境を提供する選択タイムライン作成支援機能と、
前記区切り位置データと前記原動画データとを用いて、前記選択タイムラインが表す内容に従って、前記選択された前記要素動作が前記指定された前記時間順序で推移する選択タイムライン動画を再生する選択タイムライン動画再生機能と、
を実現させる、計画支援プログラム。
【発明の詳細な説明】
【技術分野】
【０００１】
本発明は、計画支援装置、計画支援方法、及び計画支援プログラムに関する。
【背景技術】
【０００２】
工場のラインにおいては、作業者や機械によってなされる一連の作業を標準化して管理するために、その一連の作業を複数の動作（以下、要素動作という。）の集まりとして捉え、各々の要素動作の所要時間を把握しておくことが望まれる。
【０００３】
従来、各々の要素動作の所要時間は、作業が行われる現場で、ストップウォッチを用いて測定していた。しかし、この手法では、ストップウォッチを押すタイミングがずれがちであるため、各々の要素動作の所要時間を正確に測定することが難しい。
【０００４】
そこで、特許文献１は、一連の作業を撮影した動画データを用いて、要素動作の所要時間を測定する装置を開示している。この装置は、スロー再生される動画データ及び測定用アイコンを表示する表示部と、ユーザがスロー再生される動画データを見ながら測定用アイコンを操作したタイミングで、動画データを順次に区切り、区切り目同士の動画データ上における時間的な間隔を測定する測定部とを備える。
【先行技術文献】
【特許文献】
【０００５】
【特許文献１】特開２０１６−１１５２６５号公報
【発明の概要】
【発明が解決しようとする課題】
【０００６】
特許文献１に係る装置は、上記測定部の測定結果を、既存の作業のスケジュールの改良又は新たなスケジュールの開発へと役立てることまでを意図したものではなく、ユーザに対して、スケジュールの立案の容易化を提供するものとは言い難い。
【０００７】
本発明の目的は、作業のスケジュールの立案の容易化が図られる計画支援装置、計画支援方法、及び計画支援プログラムを提供することである。
【課題を解決するための手段】
【０００８】
上記目的を達成するために、本発明に係る計画支援装置は、
複数の要素動作によって構成される一連の作業を撮影することにより得られた原動画データを取得する原動画データ取得手段と、
前記原動画データ取得手段によって取得された前記原動画データを用いて、各々の前記要素動作の前記一連の作業の中における区切り目の、前記原動画データにおける時間軸上の位置を特定する区切り位置データを作成する区切り位置データ作成手段と、
各々の前記要素動作に対して、該要素動作の属性を表す属性情報をユーザから受け付けると共に、前記区切り位置データ作成手段によって作成される前記区切り位置データが表す前記区切り目同士の前記時間軸上の間隔によって特定される該要素動作の所要時間を算出することにより、前記要素動作別に前記属性情報と前記所要時間とが対応付けられた要素動作リストを作成し、ユーザに提示する要素動作リスト作成手段と、
ユーザが、前記要素動作リスト作成手段によって提示された前記要素動作リストの中から所望の複数の前記要素動作を、該要素動作の間の時間順序を指定する態様で選択することにより、選択された前記要素動作を、指定された前記時間順序で遂行する旨を表す選択タイムラインを作成する作成環境を提供する選択タイムライン作成支援手段と、
前記区切り位置データと前記原動画データとを用いて、前記選択タイムラインが表す内容に従って、前記選択された前記要素動作が前記指定された前記時間順序で推移する選択タイムライン動画を再生する選択タイムライン動画再生手段と、
を備える。
【発明の効果】
【０００９】
上記構成によれば、要素動作リストにおいて、要素動作別に属性情報と所要時間とが対応付けられているため、ユーザは、要素動作リストから所望の要素動作を容易に見つけ出すことができ、選択タイムラインを容易に作成できる。また、選択タイムラインの内容を表す選択タイムライン動画が再生されるため、ユーザは、その選択タイムライン動画を見ることにより、自ら立案した選択タイムラインの妥当性を容易に確認できる。このため、作業のスケジュールの立案の容易化が図られる。
【図面の簡単な説明】
【００１０】
【図１】実施形態１に係る計画支援装置の構成を示すブロック図
【図２】実施形態１に係るＣＰＵの機能を示すブロック図
【図３】実施形態１に係るメイン画面を示す概念図
【図４】実施形態１に係る動画エリアを示す概念図
【図５】実施形態１に係るコントロールエリアを示す概念図
【図６】実施形態１に係るタイムラインエリアを示す概念図
【図７】実施形態１に係る選択タイムラインエリアの一部を示す概念図
【図８】実施形態１に係る選択タイムラインエリアの全体を示す概念図
【図９】実施形態２に係る選択項目リストエリアの概念図
【図１０】実施形態２に係る選択項目リスト保存処理のフローチャート
【図１１】実施形態２に係る選択項目リスト読み込み処理のフローチャート
【図１２】実施形態３に係る情報分析エリアの概念図
【図１３】実施形態４に係るメニューエリアの概念図
【図１４】実施形態４に係るプロジェクト保存処理のフローチャート
【図１５】実施形態４に係るプロジェクト読み込み処理のフローチャート
【図１６】実施形態４に係るフォルダ設定画面の概念図
【図１７】実施形態４に係るスキップ速度設定画面の概念図
【図１８】実施形態５に係る単位分析処理のフローチャート
【図１９Ａ】実施形態５に係る連続分析処理の一部を示すフローチャート
【図１９Ｂ】実施形態５に係る連続分析処理の他の一部を示すフローチャート
【図１９Ｃ】実施形態５に係る連続分析処理の残部を示すフローチャート
【図２０】実施形態６に係る再生ボタン機能変更処理のフローチャート
【図２１】実施形態６に係る停止ボタン機能変更処理のフローチャート
【図２２】実施形態７に係る図案化処理部を示すブロック図
【図２３】実施形態７に係るチャート表示ウインドウの概念図
【図２４】実施形態７に係る円チャートの作成例を示す概念図
【図２５】実施形態７に係る円チャートの他の作成例を示す概念図
【図２６】実施形態７に係る円チャートのさらに他の作成例を示す概念図
【図２７】実施形態７に係るパレート図の作成例を示す概念図
【図２８】実施形態７に係るパレート図の他の作成例を示す概念図
【図２９】実施形態７に係るパレート図のさらに他の作成例を示す概念図
【発明を実施するための形態】
【００１１】
以下、図面を参照し、本発明の実施形態に係る計画支援装置について説明する。図中、同一又は対応する部分に同一の符号を付す。
【００１２】
［実施形態１］
図１に示すように、本実施形態に係る計画支援装置１０は、工場のラインにおいて複数の要素動作によって構成される一連の作業を撮影するためのカメラ１１と、カメラ１１とデータ通信を行うための接続インターフェース１２とを備える。カメラ１１は、ラインにおける一連の作業を表す原動画データを生成する。生成された原動画データは、接続インターフェース１２を通じて、計画支援装置１０に取り込まれる。
【００１３】
また、計画支援装置１０は、不揮発性の補助メモリ１３を備える。補助メモリ１３には、原動画データが表す一連の作業を分析する処理と、分析した結果を用いて作業のスケジュールの立案を支援する処理とを規定した計画支援プログラム１３ａが格納されている。また、補助メモリ１３には、計画支援プログラム１３ａが規定する各種処理に関わるデータ群１３ｂも格納されている。
【００１４】
また、計画支援装置１０は、補助メモリ１３に記憶された計画支援プログラム１３ａを実行するＣＰＵ（Central Processing Unit）１４と、ＣＰＵ１４と補助メモリ１３との間に介在してデータの受け渡しを行う揮発性の主メモリ１５とを備える。ＣＰＵ１４は、計画支援プログラム１３ａを主メモリ１５にロードして実行する。
【００１５】
また、計画支援装置１０は、ＣＰＵ１４が、計画支援プログラム１３ａが規定する各種処理を実行する過程において、ユーザに処理結果を提示したり、ユーザから指示を受け付けたりするＧＵＩ（Graphical User Interface）を構成する表示部１６及び入力部１７を備える。このＧＵＩも計画支援プログラム１３ａによって実現される。本実施形態では、表示部１６はディスプレイで構成され、入力部１７はマウスとキーボードで構成される。
【００１６】
また、計画支援装置１０は、通信ネットワークを通じて、外部機器と接続するためのネットワーク接続部１８も有する。このため、ＣＰＵ１４が行う各種処理に関わるデータを、ネットワーク接続部１８を介して外部のサーバや端末に保存したり、外部のサーバや端末から原動画データを含む各種データを取得したりすることも可能である。
【００１７】
次に、計画支援プログラム１３ａがＣＰＵ１４に実現させる各種機能について、具体的に説明する。
【００１８】
図２に示すように、ＣＰＵ１４は、一連の作業を撮影することにより得られた原動画データを取得する原動画データ取得手段としての原動画データ取得処理部２１の機能を有する。原動画データ取得処理部２１は、接続インターフェース１２又はネットワーク接続部１８を通じて、外部から原動画データを取得し、取得した原動画データを補助メモリ１３に格納する。このようにして、補助メモリ１３には、異なる一連の作業を撮影した複数の原動画データが、原動画データ群１３ｃとして、蓄積されている。
【００１９】
また、ＣＰＵ１４は、原動画データ取得処理部２１によって取得された原動画データを用いて、各々の要素動作の一連の作業の中における区切り目の、原動画データにおける時間軸上の位置を特定する区切り位置データを作成する区切り位置データ作成手段としての区切り位置データ作成処理部２２の機能を有する。
【００２０】
区切り位置データ作成処理部２２は、原動画データが表す原動画を再生する原動画再生手段としての原動画再生処理部２２ａと、原動画の再生中にユーザから、要素動作の区切り目となるタイミングで区切りの指示を受け付ける区切り指示受付処理部２２ｂとを有する。
【００２１】
ユーザは、原動画再生処理部２２ａによって再生される原動画を見ながら、要素動作の区切り目となるタイミングで、区切り指示手段としての入力部１７を用いて、区切りを指示する。
【００２２】
また、区切り位置データ作成処理部２２は、ユーザが入力部１７を用いて指示した各々の区切りのタイミングの、原動画データにおける時間軸上の原点からの経過時刻を表す経過時刻データを作成する経過時刻データ作成手段としての経過時刻データ作成処理部２２ｃを有する。
【００２３】
上述した区切り位置データは、ユーザによる区切りの指示の各々に対して経過時刻データ作成処理部２２ｃが作成した経過時刻データによって構成されている。区切り位置データは、区切り位置データ作成処理部２２によって、原動画データと関連付けられて補助メモリ１３に格納され管理される。
【００２４】
以下、上述した表示部１６と入力部１７とで構成されるＧＵＩのうち、区切り位置データ作成処理部２２に関わる部分について、図３〜図５を参照して説明する。まず、原動画再生処理部２２ａに関わるＧＵＩについて説明する。
【００２５】
図３に示すように、表示部１６には、メイン画面１００が表示される。メイン画面１００は、原動画データ取得処理部２１によって取得した原動画データが再生される動画エリア１２０を有する。
【００２６】
図４に拡大して示すように、動画エリア１２０は、所望の原動画データを選択するための動画選択ボタン１２０ａと、選択された原動画データのファイル名を表示する選択動画ファイル名表示部１２０ｂと、選択された原動画データが再生される動画再生画面１２０ｃとを有する。
【００２７】
ユーザが、入力部１７を用いて動画選択ボタン１２０ａを押下すると、補助メモリ１３に格納されている原動画データ群１３ｃが表す選択可能な原動画データのリストが表示される。ユーザは、そのリストから所望の動画データを入力部１７で選択できる。
【００２８】
なお、ユーザは、動画再生画面１２０ｃにおいては、原動画データが表す原動画を視聴できるが、再生される原動画のトリミングや削除といった編集を行うことはできない。つまり、図２の原動画再生処理部２２ａは、原動画データを参照するのみであり、原動画データの編集は受け付けない。このため、ユーザが動画再生画面１２０ｃ上で、誤って原動画の必要な部分を削除してしまうことが防止される。
【００２９】
図３に戻って説明を続ける。メイン画面１００は、動画再生画面１２０ｃにおける原動画の再生態様を制御するためのコントロールエリア１３０も有する。
【００３０】
図５に拡大して示すように、コントロールエリア１３０は、原動画の再生を指示する再生ボタン１３０ｆ、再生の停止を指示する停止ボタン１３０ｇ、及び現在の再生位置を示す動画スライダ１３０ｅを有する。ユーザは、入力部１７を用いて、動画スライダ１３０ｅをドラッグして移動させることで、原動画を再生する位置を任意に移動できる。ここで“位置”とは、動画における時間軸上の位置を意味する。
【００３１】
また、コントロールエリア１３０は、原動画の開始から終了までの総時間と、総時間内における現在の再生位置とを０．０１秒単位で表示する現在位置／総時間表示部１３０ｋも有する。ユーザは、現在位置／総時間表示部１３０ｋ及び動画スライダ１３０ｅにより、動画の現在再生中の位置を把握できる。
【００３２】
また、コントロールエリア１３０は、原動画の再生速度を変更する再生速度スライダ１３０ｉと、再生速度を予め定められた標準速度に戻す標準速度ボタン１３０ｊと、現在の再生速度を数値で表示する再生速度表示部１３０ｈとを有する。ユーザは、入力部１７を用いて、再生速度スライダ１３０ｉをドラッグして移動させることで、再生速度を任意に調整できる。このように、図２の原動画再生処理部２２ａは、原動画の再生速度を調整する機能を有する。
【００３３】
また、コントロールエリア１３０は、原動画の再生位置をスキップさせるスキップボタン１３０ａ〜１３０ｄを有する。スキップボタン１３０ａと１３０ｂは、原動画を再生方向とは逆方向にスキップさせ、スキップボタン１３０ｃと１３０ｄは、動画を再生方向にスキップさせる。
【００３４】
また、原動画の再生を一時停止させて、スキップボタン１３０ａ〜１３０ｄを押下することにより、押下時間又は押下回数に応じたコマ数分、動画をコマ送りすることもできる。このように、図２の原動画再生処理部２２ａは、動画をコマ送りする機能を有する。
【００３５】
また、コントロールエリア１３０は、図４の動画再生画面１２０ｃの画像を保存するスナップショットボタン１３０ｐも有する。原動画再生中にスナップショットボタン１３０ｐを押下することで、その瞬間における動画再生画面１２０ｃをキャプチャした画像データを得ることができる。これにより、別途書類を作成する場合に、図３のメイン画面１００全体のスクリーンショットを一旦取得し、それをトリミングする作業が不要となる。
【００３６】
次に、図２に示す区切り指示受付処理部２２ｂと、図１に示す入力部１７とによってなされる処理について、図４及び図５に示すＧＵＩを参照して説明する。
【００３７】
まず、ユーザは、図５の再生ボタン１３０ｆを押下し、所望の原動画データの再生を開始する。そして、ユーザは、図４の動画再生画面１２０ｃに再生される、原動画データが表す原動画を見ながら、要素動作の区切り目となったタイミングごとに、区切り指示手段としての入力部１７を用いて、区切りを指示すべく動画再生画面１２０ｃ上で押下の操作を行う。ここで“押下の操作”とは、具体的には、入力部１７を構成するマウスのポインタを動画再生画面１２０ｃ上に位置させた状態で、マウスを左クリックすることを指す。
【００３８】
このように、図２に示す区切り指示受付処理部２２ｂは、動画再生画面１２０ｃ上で、押下の操作を受け付ける。つまり、動画再生画面１２０ｃは、原動画を再生するだけでなく、ユーザから区切りの指示を受け付ける役割も兼ねている。
【００３９】
ユーザは、以上のようにして区切りを指示するにあたり、動画再生画面１２０ｃ上のいずれの箇所で押下の操作を行ってもよいので、特定の小さなアイコンボタンを押下する場合に比べて、区切りを指示する操作にミスが生じにくい。
【００４０】
また、図５に示すコントロールエリア１３０にて、原動画データが表す原動画の再生速度を調整できる。具体的には、原動画をスローで再生させることができる。このため、必要に応じて原動画の再生速度を低下させることにより、原動画において要素動作の区切り目が現れるタイミングと、ユーザが区切りを指示するタイミングとにずれが生じにくい。
【００４１】
なお、原動画をコマ送りしたり、巻き戻したりすることもできる。このため、原動画において要素動作の区切り目が近づいた場面で、コマ単位で区切り目のタイミングを調整することもできる。一方、原動画を早送りしたり、スキップさせたりすることもできるため、原動画において、区切り目から遠い場面では、動画を送る速度を高めることで、区切りの作業を能率的に行える。
【００４２】
以上のようにして、要素動作の区切り目の各々においてユーザが区切りを指示すると、図２に示す経過時刻データ作成処理部２２ｃが、ユーザが指示した各々の区切りのタイミングの、原動画データにおける時間軸上の原点からの経過時刻を表す経過時刻データを作成する。ユーザによる区切りの指示の各々に対して作成された経過時刻データによって上述した区切り位置データが構成される。区切り位置データは、原動画データと関連付けられて管理される。
【００４３】
次に、以上のようにして、区切り位置データを作成することにより一連の作業を分析した結果を表示する処理について説明する。
【００４４】
図２に示すように、ＣＰＵ１４は、区切り位置データ作成処理部２２によって作成された区切り位置データを用いて、一連の作業の構成を表す要素動作リストを作成する要素動作リスト作成手段としての要素動作リスト作成処理部２３の機能を有する。
【００４５】
図６に示すように、要素動作リスト１５０ｊとは、具体的には、一連の作業を構成する要素動作別に、その要素動作の属性を表す属性情報１５０ｈと、その要素動作の所要時間を表す所要時間情報１５０ｉとを対応付けた表である。
【００４６】
属性情報１５０ｈには、要素動作の識別番号、要素動作が準備作業か主体作業かといった分類、及び要素動作の内容が含まれる。
【００４７】
なお、図６には、属性情報１５０ｈの各項目が記入された状態を示すが、属性情報１５０ｈの欄における識別番号以外の項目は、当初は空欄になっていて、図２に示す要素動作リスト作成処理部２３が、ユーザから属性情報１５０ｈの指定を受け付ける。ユーザが、属性情報指定手段としての入力部１７を用いて、属性情報１５０ｈの識別番号以外の各項目の記載内容を指定すると、要素動作リスト作成処理部２３が、その記載内容を要素動作リスト１５０ｊに反映させる。
【００４８】
但し、属性情報１５０ｈの欄における識別番号の項目は、図２に示す要素動作リスト作成処理部２３が自動的に作成する。なお、図５に示すように、コントロールエリア１３０には、要素動作リスト１５０ｊに識別番号としての行番号を自動的に記入するか否かを選択するチェックボックス１３０ｓがあり、チェックボックス１３０ｓにチェックが入れられている場合に、要素動作リスト作成処理部２３が自動的に行番号を記入する。
【００４９】
所要時間情報１５０ｉには、ユーザが区切りを指示したタイミングを表す開始時刻及び終了時刻と、区切り目同士の原動画データ上における時間的な間隔によって特定される所要時間を秒単位及び時間単位で表した数値とが含まれる。なお、要素動作の開始時刻は、動画データの開始位置を時間的な原点とした場合の時刻を表す。
【００５０】
所要時間情報１５０ｉの全項目は、図２に示す要素動作リスト作成処理部２３が自動的に作成する。即ち、要素動作リスト作成処理部２３は、上述した区切り位置データに含まれる経過時刻データによって、各々の要素動作の開始時刻と終了時刻を特定する。また、要素動作リスト作成処理部２３は、終了時刻から開始時刻を引き算することで所要時間を算出する。また、要素動作リスト作成処理部２３は、算出した秒単位の所要時間を３６００で割り算することにより、時間単位への換算も行う。
【００５１】
以上のようにして、要素動作リスト作成処理部２３は、要素動作別に属性情報１５０ｈと所要時間情報１５０ｉとが対応付けられた要素動作リスト１５０ｊを作成し、作成した要素動作リスト１５０ｊを、表示部１６に表示させることによりユーザに提示する。
【００５２】
なお、図６に示すように、要素動作リスト１５０ｊは、タイムラインエリア１５０に表示され、タイムラインエリア１５０は、図３に示すように、メイン画面１００の一部を構成している。タイムラインエリア１５０は、要素動作リスト１５０ｊに１つの要素動作分の行を追加する項目追加ボタン１５０ａ、要素動作リスト１５０ｊから選択している要素動作の行を削除する項目削除ボタン１５０ｂ、要素動作リスト１５０ｊを既存の汎用ソフトウエアで利用可能な表データとして出力する表データボタン１５０ｃ、要素動作リスト１５０ｊから全ての要素動作を削除するリストクリアボタン１５０ｄも有する。
【００５３】
なお、上述のようにして作成された要素動作リスト１５０ｊは、保存しておくことができる。この点について具体的に説明する。
【００５４】
図２に示すように、ＣＰＵ１４は、各種データの保存及び読み出しを行う保存／読み出し処理部２６の機能を有する。保存／読み出し処理部２６は、要素動作リスト１５０ｊの内容を、この要素動作リスト１５０ｊが表す一連の作業を特定する情報と関連付けて、図１に示すタイムラインデータ１３ｄとして、補助メモリ１３に保存する処理を行う。
【００５５】
次に、要素動作リスト１５０ｊを用いて、作業のスケジュールの立案を支援する処理について説明する。
【００５６】
図２に示すように、ＣＰＵ１４は、要素動作リスト作成処理部２３によって形成された要素動作リスト１５０ｊを用いて、作業のスケジュールの立案を支援する選択タイムライン作成支援手段としての選択タイムライン作成支援処理部２４の機能を有する。
【００５７】
以下、選択タイムライン作成支援処理部２４に関わるＧＵＩを参照し、選択タイムライン作成支援処理部２４の機能を具体的に説明する。ユーザが、図６に示すタイムラインエリア１５０において、選択タイムライン表示ボタン１５０ｎを押下すると、図７に示すように、タイムラインエリア１５０が分割されて、選択タイムラインエリア１７０が表示される。
【００５８】
図７に示すように、選択タイムラインエリア１７０は、当初は空欄とされる選択タイムライン作成エリア１７０ｈを有する。ユーザは、選択タイムライン作成エリア１７０ｈに、自ら立案した作業のスケジュールである選択タイムライン１７０ｉを作成できる。
【００５９】
そのために、選択タイムラインエリア１７０は、要素動作リスト１５０ｊから選択タイムライン作成エリア１７０ｈへ所望の要素動作を取り込む挿入ボタン１７０ｄを有する。ユーザは、入力部１７を用いて、要素動作リスト１５０ｊ上で所望の要素動作を選択した状態で、挿入ボタン１７０ｄを押下することで、その選択された要素動作を、選択タイムライン１７０ｉを構成するものとして選択タイムライン作成エリア１７０ｈに取り込むことができる。
【００６０】
なお、図７には、２つの要素作業よりなる、作成途中の２行分の選択タイムライン１７０ｉが例示されているが、ユーザは、所望の複数の要素動作を、要素動作リスト１５０ｊの中から選択し、選択タイムライン作成エリア１７０ｈに取り込むことができる。このとき、不要な要素動作は取り込む必要がないし、要素動作リスト１５０ｊにおける同じ要素動作を複数回取り込むこともできる。
【００６１】
選択タイムライン１７０ｉにおいて要素動作は、ユーザによって要素動作リスト１５０ｊから取り込まれた順番に自動的に並び、かつその順番で「新Ｎｏ．」で表される識別番号が付される。選択タイムライン１７０ｉは、これを構成する要素動作を、「新Ｎｏ．」で表される識別番号の順に遂行する旨を表す。
【００６２】
なお、選択タイムライン１７０ｉには、要素動作リスト１５０ｊ上での識別番号を表す「旧Ｎｏ．」も表示されるので、要素動作リスト１５０ｊのいずれの要素動作が選択タイムライン１７０ｉに取り込まれたかが分かる。
【００６３】
また、選択タイムラインエリア１７０は、選択タイムライン１７０ｉ内で、要素動作の順番を変更する順番繰り上げボタン１７０ｆ及び順番繰り下げボタン１７０ｇも有する。
【００６４】
ユーザが、選択タイムライン１７０ｉ上の所望の要素動作を選択した状態で、順番繰上げボタン１７０ｆを押下すると、その要素動作の行が１行上にあがる。つまり、その要素動作の遂行順番が１だけ繰り上がる。また、ユーザが、選択タイムライン１７０ｉ上の所望の要素動作を選択した状態で、順番繰り下げボタン１７０ｇを押下すると、その要素動作の行が１行下がる。つまり、その要素動作の遂行順番が１だけ繰り下がる。なお、このようにして選択タイムライン１７０ｉ内で要素動作の順願の入れ替えを行った場合には、「新Ｎｏ．」で表される識別番号が改めて振り直される。
【００６５】
また、選択タイムラインエリア１７０は、選択タイムライン１７０ｉ内で、所望の要素動作を削除する削除ボタン１７０ｅも有する。ユーザは、選択タイムライン１７０ｉ上の所望の要素動作を選択した状態で、削除ボタン１７０ｅを押下すると、その要素動作の行を削除することができる。なお、このようにして選択タイムライン１７０ｉ内で要素動作の削除を行った場合には、「新Ｎｏ．」で表される識別番号が改めて振り直される。
【００６６】
また、選択タイムラインエリア１７０は、要素動作リスト１５０ｊから選択タイムライン作成エリア１７０ｈへと複数の要素動作を一括して取り込める選択コピーボタン１７０ｃも有する。ユーザが選択コピーボタン１７０ｃを押下すると、要素動作リスト１５０ｊから選択タイムライン１７０ｉへ追加する要素動作を選択できるウインドウが表示され、条件にあった要素動作を一括して選択タイムライン作成エリア１７０ｈに取り込める。
【００６７】
以上のように、図２に示した選択タイムライン作成支援処理部２４は、ユーザが、要素動作リスト１５０ｊの中から所望の複数の要素動作を、それら要素動作の間の時間順序を指定する態様で選択することにより、選択された要素動作を、指定された時間順序で遂行する旨を表す選択タイムライン１７０ｉを作成する作成環境を提供する。
【００６８】
ユーザは、要素動作選択手段としての入力部１７を用いて、要素動作リスト１５０ｊの中から所望の複数の要素動作を、それら要素動作の間の時間順序を指定する態様で選択することにより、選択タイムライン１７０ｉを作成する。
【００６９】
図６に示したように、要素動作リスト１５０ｊにおいては、要素動作の属性を表す属性情報１５０ｈと、要素動作の所要時間を表す所要時間情報１５０ｉとが対応付けられているため、ユーザは、属性情報１５０ｈと所要時間情報１５０ｉを参照して、要素動作リスト１５０ｊから所望の要素動作を容易に見つけ出すことができ、選択タイムライン１７０ｉを容易に作成できる。
【００７０】
また、タイムラインエリア１５０は、要素動作リスト１５０ｊを構成する要素動作を表す動画を再生する再生ボタン１５０ｆと、その再生を停止する停止ボタン１５０ｇとを有する。ユーザは、図７に示す選択タイムライン１７０ｉを作成する際に、要素動作選択手段としての入力部１７を用いて、要素動作リスト１５０ｊの中から任意の１つの要素動作を仮選択することができる。
【００７１】
ここで“要素動作を仮選択”とは、その要素動作を選択タイムライン１７０ｉの構成要素とすることが未確定の段階で、選択タイムライン１７０ｉの構成要素にするか否かを検討するために、再生内容を確認すべく要素動作リスト１５０ｊ上で選択する操作を意味する。
【００７２】
そして、ユーザが、その任意の１つの要素動作を仮選択した状態で、再生ボタン１５０ｆを押下すると、その要素動作を表す動画が、図３の動画エリア１２０において再生される。なお、仮選択すると、その要素動作の行が強調して表示されるため、ユーザは、どの要素動作を仮選択し、再生中であるかを視覚的に確認できる。
【００７３】
このようなＧＵＩの環境も、図２に示す選択タイムライン作成支援処理部２４によって提供される。即ち、選択タイムライン作成支援処理部２４は、区切り位置データ作成処理部２２によって区切られた区切り済動画データを用いて、一連の作業のうち、ユーザによって仮選択された要素動作のみを表す動画を再生する制御を行う。
【００７４】
図７に戻って、選択タイムラインエリア１７０は、この選択タイムラインエリア１７０の全体を表示させる全体表示ボタン１７０ａと、全体表示された状態で図７のように要素動作リスト１５０ｊも表示される状態に戻す部分表示ボタン１７０ｂとを有する。
【００７５】
図８に示すように、全体表示ボタン１７０ａを押下して、選択タイムラインエリア１７０を全体表示させると、選択タイムライン１７０ｉを構成する各々の要素動作について、図６にも示した属性情報１５０ｈと所要時間情報１５０ｉが現れる。このため、ユーザは、属性情報１５０ｈと所要時間情報１５０ｉをみて、自ら立案した選択タイムライン１７０ｉの妥当性を検討できる。
【００７６】
次に、以上のようにして作成された選択タイムライン１７０ｉが表す作業を、動画として再生する処理について説明する。
【００７７】
図２に示すように、ＣＰＵ１４は、選択タイムライン１７０ｉが表す作業を、選択タイムライン動画として再生する選択タイムライン動画再生制御手段としての選択タイムライン動画再生処理部２５の機能を有する。
【００７８】
この選択タイムライン動画再生処理部２５の機能は、図８に示す選択タイムラインエリア１７０が有する再生ボタン１７０ｍにおいて発現される。ユーザが、再生ボタン１７０ｍを押下すると、選択タイムライン１７０ｉが表す内容に従って、選択タイムライン１７０ｉの構成要素としてユーザに選択された要素動作が、ユーザに指定された時間順序、即ち、選択タイムライン１７０ｉにおいて「新Ｎｏ．」で表される識別番号の順序で推移する動画が、図３の動画エリア１２０において再生される。
【００７９】
このため、ユーザは、属性情報１５０ｈ及び所要時間情報１５０ｉだけでは、要素動作のイメージがつかない場合に、要素動作の内容を再生によって確認できる。このことも、自ら立案した選択タイムライン１７０ｉの妥当性の検討に資する。なお、選択タイムラインエリア１７０は、選択タイムライン動画の再生を停止する停止ボタン１７０ｎも有する。
【００８０】
選択タイムライン動画再生処理部２５は、以上のように選択タイムライン動画を再生する制御を、図２に示す区切り位置データ作成処理部２２によって作成された区切り位置データと、原動画データとを用いて行う。
【００８１】
この点について具体的に説明する。図８に示すように、選択タイムライン１７０ｉにおいては、各々の要素動作について、原動画データにおける開始時刻と終了時刻とが対応付けられている。この開始時刻と終了時刻は、区切り位置データに含まれる経過時刻データによって特定できる。そこで、選択タイムライン動画再生処理部２５は、原動画データの、選択タイムライン１７０ｉに含まれる各々の要素動作を表す部分を、区切り位置データによって特定し、原動画データの当該各部分を、選択タイムライン１７０ｉにおいて「新Ｎｏ．」で表される識別番号の順序で再生させる。
【００８２】
なお、ユーザは、上述のようにして、編集したり、再生によって内容を確認したりした後に、確定した選択タイムライン１７０ｉを、保存することができる。この点について具体的に説明する。
【００８３】
図２に示す保存／読み出し処理部２６は、選択タイムライン１７０ｉを、図１に示す選択タイムラインデータ１３ｅとして、補助メモリ１３に保存する処理を行う。選択タイムラインデータ１３ｅは、タイムラインデータ１３ｄとは別途に、補助メモリ１３に記憶されるため、選択タイムライン１７０ｉを作成する作業は、要素動作リスト１５０ｊの内容に影響を与えない。つまり、選択タイムライン１７０ｉを作成する際に参照した要素動作リスト１５０ｊについては、元の内容をそのまま保持しておくことができる。
【００８４】
以上説明したように、本実施形態によれば、図６に示すように、要素動作リスト１５０ｊにおいて、要素動作別に、属性情報１５０ｈと所要時間情報１５０ｉとが対応付けられているため、ユーザは、属性情報１５０ｈと所要時間情報１５０ｉとを参照することで、要素動作リスト１５０ｊから所望の要素動作を容易に見つけ出すことができ、図８に示す選択タイムライン１７０ｉを容易に作成できる。
【００８５】
また、図８に示す再生ボタン１７０ｍを押下するだけで、選択タイムライン１７０ｉの内容を表す選択タイムライン動画が再生されるため、ユーザは、その選択タイムライン動画を見ることにより、自ら立案した選択タイムライン１７０ｉの妥当性を容易に確認できる。このため、作業のスケジュールの立案の容易化が図られる。
【００８６】
また、ユーザは、選択タイムライン１７０ｉを作成する際に、要素動作リスト１５０ｊにおける任意の要素動作の内容を、その要素動作を表す動画を再生させることにより確認できる。つまり、原動画データの全部を再生させる必要がなく、原動画データのうち確認したい要素動作の部分だけを再生させることができる。このため、一部の要素動作を確認するためには原動画データの全部を再生しなければならない場合に比べて、スケジュールの立案の能率化が図られる。
【００８７】
［実施形態２］
上記実施形態１において、図６に示す要素動作リスト１５０ｊが作成される過程で、ユーザが、個々の要素動作に対する属性情報１５０ｈの内容を、入力部１７を構成するキーボードのタイピングによって指定するのではなく、予め定めた雛型からの選択によって指定できるようにしてもよい。以下、その具体例を述べる。
【００８８】
本実施形態では、図２に示す要素動作リスト作成処理部２３が、図６に示す要素動作リスト１５０ｊを作成する過程でユーザから属性情報１５０ｈを受け付ける際に、属性情報１５０ｈを構成する項目を表す雛型をユーザに提示する属性情報入力支援処理を行う。属性情報入力支援処理によって実現されるＧＵＩ環境は、図３に示すメイン画面１００の選択項目リストエリア１６０において提供される。
【００８９】
図９に拡大して示すように、選択項目リストエリア１６０には、雛型としての選択項目リスト１６０ａが表示される。選択項目リスト１６０ａは、図６に示す属性情報１５０ｈとして指定される具体的内容が記入された「分類」と「作業項目」の欄の他、要素動作の内容をより詳細に表す「備考」の欄も含む。選択項目リスト１６０ａは、複数の行よりなり、各々の行には上述した３つの欄の具体的内容が予め記入されている。
【００９０】
ユーザが、図６に示す要素動作リスト１５０ｊの各々の要素動作に対して属性情報１５０ｈを指定する際に、ユーザが選択項目リスト１６０ａから所望の行を選択する操作を行うだけで、その行の各欄に記載の具体的内容が、属性情報１５０ｈとして要素動作リスト１５０ｊに自動的に記入される利便性を、図２に示す要素動作リスト作成処理部２３が提供する。
【００９１】
選択項目リストエリア１６０は、選択項目リスト１６０ａに新たな行を追加する項目追加ボタン１６０ｄを有する。ユーザは、項目追加ボタン１６０ｄを押下し、追加された新たな行の上述した各欄に、入力部１７を構成するキーボードで具体的内容を記入する。このようにして、選択項目リスト１６０ａを作成する。また、ユーザは、一旦作成した選択項目リスト１６０ａにおける各々の行の具体的内容を自由に編集することもできる。なお、選択項目リストエリア１６０は、選択項目リスト１６０ａの選択した行を削除する項目削除ボタン１６０ｅも有する。
【００９２】
また、選択項目リストエリア１６０は、作成した選択項目リスト１６０ａの保存を指示するファイル保存ボタン１６０ｃを有する。ユーザがファイル保存ボタン１６０ｃを押下すると、図２に示す保存／読み出し処理部２６が、図１０に示す選択項目リスト保存処理を行う。以下、具体的に説明する。
【００９３】
図１０に示すように、まず保存／読み出し処理部２６は、ユーザから保存ファイル名を受け付け（ステップＳ６０）、受け付けた保存ファイル名と同一の既存ファイルがある場合は（ステップＳ６１；ＹＥＳ）、新たなシートを作成するか否かの選択をユーザから受け付ける（ステップＳ６２）。
【００９４】
保存／読み出し処理部２６は、ステップＳ６１で既存ファイルが無い場合（ステップＳ６１；ＮＯ）、又はステップＳ６２で新たなシートを作成する場合は（ステップＳ６２；ＹＥＳ）、今回新たに作成されるシートのシート名の入力をユーザから受け付ける（ステップＳ６３）。
【００９５】
一方、保存／読み出し処理部２６は、ステップＳ６２で既存のシートに上書きする場合は（ステップＳ６２；ＮＯ）、どのシートに上書きするかの選択をユーザから受け付ける（ステップＳ６４）。
【００９６】
そして、保存／読み出し処理部２６は、ステップＳ６３でシート名が入力された新たなシート、又はステップＳ６４で選択された既存のシートに、選択項目リスト１６０ａの内容を書き込んで保存する（ステップＳ６５）。なお、保存先の実体は、図１に示す補助メモリ１３であってもよいし、ネットワーク接続部１８を介して接続されるサーバその他の外部装置であってもよい。
【００９７】
図９に戻って、説明を続ける。選択項目リストエリア１６０は、予め作成した選択項目リスト１６０ａの読み込みを指示するファイル読込ボタン１６０ｂを有する。ユーザがファイル読込ボタン１６０ｂを押下すると、図２に示す保存／読み出し処理部２６が、図１１に示す選択項目リスト読み込み処理を行う。以下、具体的に説明する。
【００９８】
図１１に示すように、保存／読み出し処理部２６は、読み出し先のファイルの選択をユーザから受け付け（ステップＳ７０）、次に、選択されたファイル内でのシートの選択をユーザから受け付ける（ステップＳ７１）。
【００９９】
次に、保存／読み出し処理部２６は、選択されたシートから選択項目リスト１６０ａを読み出し（ステップＳ７２）、読み出した選択項目リスト１６０ａを図１に示す主メモリ１５に格納した後（ステップＳ７３）、図９に示す選択項目リストエリア１６０に表示させる（ステップＳ７４）。
【０１００】
以上説明したように、本実施形態によれば、属性情報１５０ｈの指定を、入力部１７を構成するキーボードのタイピングによらずに、予め定めた雛型としての選択項目リスト１６０ａからの選択によって行える。このため、属性情報１５０ｈの記入ミスを抑制でき、かつ記入の手間が省かれるので、要素動作リスト１５０ｊの作成の能率化が図られる。
【０１０１】
また、選択項目リスト１６０ａは保存できるので、一旦作成した選択項目リスト１６０ａを、同様の作業の分析を行う際に、再び利用することができる。また、選択項目リスト１６０ａを保存するファイルは、複数のシートよりなり、各々のシートに選択項目リスト１６０ａを保存できる。このため、同種の作業の分析のために作成した複数の選択項目リスト１６０ａを、１つのファイルにまとめることができる。
【０１０２】
［実施形態３］
上記実施形態１では、要素動作リスト１５０ｊを作成した後、引き続きその要素動作リスト１５０ｊを選択タイムライン１７０ｉの素材として用いたが、予めライブラリとして蓄積しておいた要素動作リスト１５０ｊの中から１つ又は複数の要素動作リスト１５０ｊを選び、選んだ要素動作リスト１５０ｊを素材として、選択タイムライン１７０ｉを作成できるようにしてもよい。以下、その具体例を説明する。
【０１０３】
本実施形態では、図２に示す保存／読み出し処理部２６が、要素動作リスト作成処理部２３によって作成された要素動作リスト１５０ｊを、その要素動作リスト１５０ｊを作成する元となった原動画データを特定する原動画データ特定情報と対応付けて蓄積する処理を行う要素動作リスト蓄積手段としての役割を果たす。
【０１０４】
以下、保存／読み出し処理部２６によって提供されるＧＵＩ環境を参照し、具体的に説明する。図３に示すメイン画面１００は、情報分析エリア１４０を有する。ユーザは、要素動作リスト１５０ｊの作成が完了した後、情報分析エリア１４０を参照する。
【０１０５】
図１２に拡大して示すように、情報分析エリア１４０は、今回作成された要素動作リスト１５０ｊの元となった原動画データが表す一連の作業の内容を記入する分析内容欄１４０ａ、その一連の作業を識別する識別番号を記入するオーダー欄１４０ｂ、その一連の作業の工程名を記入する工程名欄１４０ｃ、その一連の作業を行った作業者の氏名を記入する作業者欄１４０ｄ、その一連の作業で使用される機械の機種を記入する機種名欄１４０ｅ、その原動画データを撮影した日付を記入する撮影日欄１４０ｆ、その要素動作リスト１５０ｊを作成した日付を記入する観測日欄１４０ｇ、及びその要素動作リスト１５０ｊを作成した観測者の氏名を記入する観測者名欄１４０ｈを有する。
【０１０６】
これら各欄１４０ａ〜１４０ｈの記入事項が、上述した原動画データ特定情報を構成する。図２に示す保存／読み出し処理部２６は、今回作成された要素動作リスト１５０ｊを、これら各欄１４０ａ〜１４０ｈの記入事項と対応付けて蓄積する処理を行う。なお、蓄積先の実体は、図１に示す補助メモリ１３であってもよいし、ネットワーク接続部１８を介して接続されるサーバその他の外部装置であってもよい。
【０１０７】
図２に示す要素動作リスト作成処理部２３は、保存／読み出し処理部２６によって過去に蓄積された要素動作リスト１５０ｊの中から、所望の１つ又は複数の要素動作リスト１５０ｊを、原動画データ特定情報を指定することにより選択する選択環境をユーザに提供し、ユーザが選択した要素動作リスト１５０ｊをユーザに提示する。
【０１０８】
以上説明したように、本実施形態によれば、複数種の原動画データの各々について予め作成した要素動作リスト１５０ｊをライブラリとして蓄積しておくことができる。ユーザは、選択タイムライン１７０ｉを立案するにあたり、ライブラリとしての要素動作リスト１５０ｊの中から１つ又は複数の要素動作リスト１５０ｊを選んで、選択タイムライン１７０ｉの素材とすることができる。このため、様々な作業のスケジュールの立案に柔軟に対応できる。
【０１０９】
［実施形態４］
上記実施形態３では、要素動作リスト１５０ｊを蓄積できることとしたが、選択タイムライン１７０ｉと、その選択タイムライン１７０ｉの素材に用いた要素動作リスト１５０ｊと、その要素動作リスト１５０ｊの作成に用いた雛型としての選択項目リスト１６０ａとの組み合わせを蓄積できるようにしてもよい。以下、その具体例を説明する。
【０１１０】
本実施形態では、図２に示す保存／読み出し処理部２６が、図３に示すメイン画面１００の表示内容を、プロジェクトファイルとして保存し、かつ読み出すことができる環境を提供する。ここでプロジェクトファイルとは、選択タイムライン１７０ｉが確定した段階のメイン画面１００の内容のみならず、選択タイムライン１７０ｉの作成途中や要素動作リスト１５０ｊの作成途中といった途中段階におけるメイン画面１００の内容も含む概念である。
【０１１１】
以下、図２に示す保存／読み出し処理部２６によって提供されるＧＵＩを参照して説明する。図３に示すメイン画面１００は、プロジェクトファイルの保存と読み出しに関わる指定を行うメニューエリア１１０を有する。
【０１１２】
図１３に拡大して示すように、メニューエリア１１０は、プロジェクトファイルの保存と読み出しを指定するファイル関連メニューを表示するメニューボタン１１０ａを有する。ユーザが、メニューボタン１１０ａを押下し、プロジェクトファイルの保存を指定すると、図２に示す保存／読み出し処理部２６によって、図１４に示すプロジェクト保存処理が開始する。以下、具体的に説明する。
【０１１３】
図１４に示すように、まず保存／読み出し処理部２６は、原動画データのファイル名を保存する（ステップＳ３０）。なお、原動画データのファイル名は、ユーザによって、図４に示す動画選択ボタン１２０ａを用いて選択される。
【０１１４】
次に、保存／読み出し処理部２６は、ユーザが図１２の各欄１４０ａ〜１４０ｈに該当事項を入力した内容を、分析情報として保存する（ステップＳ３１）。なお、分析情報によって、要素動作リスト１５０ｊが特定される。
【０１１５】
次に、保存／読み出し処理部２６は、現在の要素動作リスト１５０ｊの内容を表す要素動作リスト情報を保存し（ステップＳ３２）、現在の選択タイムライン１７０ｉの内容を表す選択タイムライン情報を保存し（ステップＳ３３）、現在の選択項目リスト１６０ａの内容を表す選択項目リスト情報を保存する（ステップＳ３４）。
【０１１６】
以上で、プロジェクトファイルの保存が完了する。なお、プロジェクトファイルの保存先の実体は、図１に示す補助メモリ１３であってもよいし、ネットワーク接続部１８を介して接続されるサーバその他の外部装置であってもよい。
【０１１７】
図１３に戻って、説明を続ける。ユーザが、メニューボタン１１０ａを押下し、プロジェクトファイルの読み込みを指定すると、図２に示す保存／読み出し処理部２６によって、図１５に示すプロジェクト読み込み処理が開始する。以下、具体的に説明する。
【０１１８】
図１５に示すように、まず保存／読み出し処理部２６は、ユーザによって読み込みが指定されたプロジェクトファイルが表す原動画データを保存先から読み込み（ステップＳ４０）、読み込んだ原動画データを図４に示した動画再生画面１２０ｃに再生可能に設定する（ステップＳ４１）。
【０１１９】
次に、保存／読み出し処理部２６は、ユーザによって読み込みが指定されたプロジェクトファイルが表す既述の分析情報を保存先から読み込み（ステップＳ４２）、読み込んだ分析情報を図１２に示した情報分析エリア１４０の各欄１４０ａ〜１４０ｈに表示させる（ステップＳ４３）。
【０１２０】
次に、保存／読み出し処理部２６は、ユーザによって読み込みが指定されたプロジェクトファイルが表す既述の要素動作リスト情報を保存先から読み込み（ステップＳ４４）、読み込んだ要素動作リスト情報が表す要素動作リストが表す要素動作リスト１５０ｊを、図６に示したタイムランエリア１５０に表示させる（ステップＳ４５）。
【０１２１】
次に、保存／読み出し処理部２６は、ユーザによって読み込みが指定されたプロジェクトファイルが表す既述の選択タイムライン情報を保存先から読み込み（ステップＳ４６）、読み込んだ選択タイムライン情報が表す選択タイムライン１７０ｉを、図８に示した選択タイムラインエリア１７０に表示させる（ステップＳ４７）。
【０１２２】
次に、保存／読み出し処理部２６は、ユーザによって読み込みが指定されたプロジェクトファイルが表す既述の選択項目リスト情報を保存先から読み込み（ステップＳ４８）、読み込んだ選択項目リスト情報が表す選択項目リスト１６０ａを、図９に示した選択項目リストエリア１６０に表示させる（ステップＳ４９）。
【０１２３】
以上説明したように、本実施形態によれば、選択タイムライン１７０ｉと、その選択タイムライン１７０ｉの素材に用いた要素動作リスト１５０ｊと、その要素動作リスト１５０ｊの作成に用いた雛型としての選択項目リスト１６０ａとの組み合わせを蓄積できるので、選択タイムライン１７０ｉの編集を中断する必要がある場合でも、その編集途中の状況をプロジェクトファイルとして保存しておくことができる。
【０１２４】
また、選択タイムライン１７０ｉの確定後であっても、プロジェクトファイルとして保存しておくことで、後に、その選択タイムライン１７０ｉの作成の過程、即ち使用した要素動作リスト１５０ｊと選択項目リスト１６０ａとを再確認できる。
【０１２５】
以下、図１３に示したメニューエリア１１０において提供される他の機能について説明する。メニューエリア１１０は、各種オプションに関する設定を行うメニューを表示するオプションボタン１１０ｂ、本計画支援装置１０の使用のライセンスを認証する認証画面を表示するライセンスボタン１１０ｃ、及び計画支援プログラム１３ａのバージョン情報を表示するバージョン情報ボタン１１０ｄも有する。
【０１２６】
ユーザが、オプションボタン１１０ｂを押下すると、オプションとして設定できる項目がプルダウンメニューとして表示される。そのプルダウンメニューの中に、プロジェクトファイルの保存先のフォルダを設定するオプション設定項目があり、ユーザがそれを選択すると、図１６に示すフォルダ設定画面２００が表示される。
【０１２７】
図１６に示すように、フォルダ設定画面２００は、原動画データの保存先となるフォルダの候補を表示する動画フォルダ参照ボタン２００ｅと、その候補の中からユーザが選択したフォルダの名称が表示される動画フォルダ欄２００ａとを有する。
【０１２８】
また、フォルダ設定画面２００は、プロジェクトファイルの保存先となるフォルダの候補を表示するプロジェクトフォルダ参照ボタン２００ｆと、その候補の中からユーザが選択したフォルダの名称が表示されるプロジェクトフォルダ欄２００ｂとを有する。
【０１２９】
また、フォルダ設定画面２００は、選択項目リスト１６０ａの保存先となるフォルダの候補を表示する選択リストフォルダ参照ボタン２００ｇと、その候補の中からユーザが選択したフォルダの名称が表示される選択リストフォルダ欄２００ｃとを有する。
【０１３０】
また、フォルダ設定画面２００は、要素動作リスト１５０ｊの保存先となるフォルダの候補を表示するタイムライン出力フォルダ参照ボタン２００ｈと、その候補の中からユーザが選択したフォルダの名称が表示されるタイムライン出力フォルダ欄２００ｄとを有する。
【０１３１】
また、フォルダ設定画面２００は、上記の欄２００ａ〜２００ｄに表示されたファイル名が表すファイルを保存先として確定する旨を指示するＯＫボタン２００ｊも有する。ユーザがＯＫボタン２００ｊを押下すると、上記の欄２００ａ〜２００ｄが表す保存先の組み合わせが、フォルダ設定情報として、図１に示す補助メモリ１３に記憶される。なお、上記の欄２００ａ〜２００ｄが表す保存先の実体は、図１に示す補助メモリ１３であってもよいし、ネットワーク接続部１８を介して接続されるサーバその他の外部装置であってもよい。
【０１３２】
以上のように、フォルダ設定情報として、各種データの保存先を一括して予め定めておくことにより、ユーザが、プロジェクトファイルを保存する際に、個々のデータについて保存先を指定する手間を省ける。また、フォルダ設定情報として、ネットワークドライブ上のフォルダを保存先に設定しておくことで、そのフォルダにアクセス可能な複数の端末間で、プロジェクトファイルの共用化が図られる。
【０１３３】
図１３に戻って説明を続ける。オプションボタン１１０ｂを押下したときに表示されるプルダウンメニューの中には、原動画を再生する際のスキップ速度を定める項目があり、ユーザがその項目を選択すると、図１７に示すスキップ速度設定画面２１０が表示される。
【０１３４】
図１７に示すように、スキップ速度設定画面２１０は、図５に示したスキップボタン１３０ａのスキップ速度を表示するスキップ速度表示欄２１０ａ、図５に示したスキップボタン１３０ｂのスキップ速度を表示するスキップ速度表示欄２１０ｂ、図５に示したスキップボタン１３０ｃのスキップ速度を表示するスキップ速度表示欄２１０ｃ、及び図５に示したスキップボタン１３０ｄのスキップ速度を表示するスキップ速度表示欄２１０ｄを有する。
【０１３５】
また、スキップ速度設定画面２１０は、図５に示したスキップボタン１３０ａのスキップ速度を調整するスキップ速度調整ボタン２１０ｅ、図５に示したスキップボタン１３０ｂのスキップ速度を調整するスキップ速度調整ボタン２１０ｆ、図５に示したスキップボタン１３０ｃのスキップ速度を調整するスキップ速度調整ボタン２１０ｇ、及び図５に示したスキップボタン１３０ｄのスキップ速度を調整するスキップ速度調整ボタン２１０ｈを有する。
【０１３６】
また、スキップ速度設定画面２１０は、スキップ速度表示欄２１０ａ〜２１０ｄに表示されたスキップ速度への変更を適用する設定更新ボタン２１０ｊ及び、スキップ速度のカスタマイズをキャンセルし、スキップ速度をデフォルト値に戻すキャンセルボタン２１０ｋも有する。以上のようにしてスキップ速度をカスタマイズできることは、原動画データを能率的かつ正確に区切ることに資する。
【０１３７】
［実施形態５］
上記実施形態１において、図２には、区切り位置データ作成処理部２２にて区切り位置データの作成が完了した後に、要素動作リスト作成処理部２３へと処理が渡される様子を模式的に示したが、ユーザが、再生される原動画を見ながら１つの要素動作の区切りを指定するたびに、要素動作リスト１５０ｊにおける、その１つの要素動作を表す行を作成するというように、区切り位置データ作成処理部２２と要素動作リスト作成処理部２３が協働して、区切りの指示と要素動作リスト１５０ｊの作成とを並行して行ってもよい。以下、その具体例について説明する。
【０１３８】
図１８に示すように、本実施形態では、要素動作リスト作成処理部２３は、原動画の再生中に区切り指示手段としての入力部１７によって区切りが指示されるたびに（ステップＳＵ１）、原動画再生処理部２２ａによる原動画の再生を一時停止させる再生一時停止処理（ステップＳＵ２）を行う。原動画再生処理部２２ａは、再生一時停止処理（ステップＳＵ２）を受けて、原動画の再生を一時停止させる（ステップＳＵ３）。
【０１３９】
また、要素動作リスト作成処理部２３は、原動画の再生が一時停止された状態で、原動画における、入力部１７によって前回指示された区切りから、今回指示された区切りまでの内容が表す要素動作について、属性情報１５０ｈの指定を受け付ける属性情報受け付け処理（ステップＳＵ４）を行う。ユーザは、属性情報受け付け処理（ステップＳＵ４）を受けて、属性情報１５０ｈの指定を開始する（ステップＳＵ５）。
【０１４０】
また、要素動作リスト作成処理部２３は、要素動作についての属性情報１５０ｈの、ユーザによる指定が完了した場合に（ステップＳＵ６）、その要素動作と、その属性情報１５０ｈと、前回指示された区切りについて図２に示す経過時刻データ作成処理部２２ｃが作成した経過時刻データと、今回指示された区切りについて図２に示す経過時刻データ作成処理部２２ｃが作成した経過時刻データと、の対応付けを行うと共に、原動画再生処理部２２ａによる原動画の再生を再開させる再生再開処理（ステップＳＵ７）を行う。原動画再生処理部２２ａは、再生再開処理（ステップＳＵ７）を受けて、原動画の再生を再開させる（ステップＳＵ８）。
【０１４１】
ここで“前回指示された区切り”は、その要素動作の開始のタイミングを表し、“今回指示された区切り”は、その要素動作の終了のタイミングを表す。
【０１４２】
以上のステップＳＵ１〜ＳＵ８によって構成される単位分析処理（ステップＳＵ）が時間的に繰り返される連続分析処理によって、区切りの指示と要素動作リスト１５０ｊの作成とが並行して行われる。
【０１４３】
図５を参照し、連続分析処理に関わるＧＵＩについて説明する。コントロールエリア１３０は、一連の作業における最初の１つ目の要素動作についての所要時間の測定を、原動画の再生の開始と同時に行うか否かを選択するチェックボックス１３０ｑを有する。
【０１４４】
図２に示す原動画再生処理部２２ａは、チェックボックス１３０ｑにチェックが入れられている場合には、最初の１つ目の要素動作についての所要時間の測定を原動画の再生の開始と同時に行わせる一方、チェックボックス１３０ｑにチェックが入れられて無い場合には、原動画の再生の開始後、ユーザが指定したタイミングで、最初の１つ目の要素動作についての所要時間の計測を開始させる。
【０１４５】
このように、原動画再生処理部２２ａは、区切り指示手段としての入力部１７による、一連の作業における最初の１つ目の要素動作の始まりを表す区切りの指示を、原動画再生処理部２２ａに対する原動画の再生開始の指示と兼ねるか否かを予め設定する環境をユーザに提供する。
【０１４６】
このため、原動画データの開始部分に要素動作と無関係の無関係映像が映り込んでいる場合には、チェックボックス１３０ｑのチェックを外しておけばよい。一旦その無関係映像を要素動作として取り込んで後に削除するといった作業ロスをなくすことができる。一方、最初の１つ目の要素動作から開始する原動画データが予め得られている場合には、チェックボックス１３０ｑにチェックを入れておくことで、直ちに要素時間の計測を行える。
【０１４７】
以下、図１９Ａ〜図１９Ｂを参照し、図１８に示した単位分析処理（ステップＳＵ）が時間的に繰り返される連続分析処理について、具体的に説明する。
【０１４８】
図１９Ａに示すように、ユーザによって図５に示す再生ボタン１３０ｆが押下されることにより（ステップＳ１）、原動画再生処理部２２ａに対する原動画の再生開始の指示がなされると、原動画再生処理部２２ａは、図５に示すモード表示欄１３０ｍに、要素動作の所要時間の計測中である旨を表すものとして「計測中」と表示させる（ステップＳ２）。
【０１４９】
次に、要素動作リスト作成処理部２３は、図５に示すチェックボックス１３０ｑにチェックが入れられているか否かを判定し（ステップＳ３）、チェックが入れられている場合は（ステップＳ３；ＹＥＳ）、ステップＳ１の再生開始の指示が、最初の１つ目の要素動作の始まりを表す区切りの指示を兼ねるため、原動画データ上での現在の再生時刻を、原動画データから取得する（ステップＳ４）。
【０１５０】
ここで“再生時刻”とは、原動画の開始時点、即ち原動画データにおける時間軸上の原点を０．００秒とした場合の、その開始時点から、原動画上における現在の場面までの、原動画上における経過時間を意味する。いまの場合、現在の再生時刻とは、ステップＳ１で再生ボタン１３０ｆが押下された時刻であり、原動画の開始時点そのものであるから、０．００秒である。
【０１５１】
次に、要素動作リスト作成処理部２３は、要素動作リスト１５０ｊに新規行を追加し（ステップＳ５）、原動画の再生が一時停止中又は停止中か否かを判定する（ステップＳ６）。いまの場合は原動画が再生中であり、一時停止中又は停止中ではないので（ステップＳ６；ＮＯ）、要素動作リスト作成処理部２３は、ステップＳ４で取得した再生時刻を、ステップＳ５で追加した行における、図６に示す所要時間情報１５０ｉの開始時刻を表す「開始」の欄に記入する（ステップＳ８）。
【０１５２】
次に、要素動作リスト作成処理部２３は、原動画の終了時刻が到来したか否かを判定し（ステップＳ９）、まだ終了時刻が到来していないならば（ステップＳ９；ＮＯ）、ユーザによる区切りの指示、即ち図４に示す動画再生画面１２０ｃ上での左クリックの操作がなされたか否かを判定する（ステップＳ１０）。
【０１５３】
要素動作リスト作成処理部２３は、左クリックの操作がなされていないならば（ステップＳ１０；ＮＯ）、再びステップＳ９に戻り、左クリックの操作を検出した場合に（ステップＳ１０；ＹＥＳ）、図１９Ｂに移る。
【０１５４】
図１９Ｂに示すように、左クリックの操作を検出した場合（ステップＳ１０；ＹＥＳ）、要素動作リスト作成処理部２３は、原動画再生処理部２２ａに、原動画の再生を一時停止させる（ステップＳ１１）。なお、このステップＳ１１は、図１８に示した再生一時停止処理（ステップＳＵ３）に相当する。
【０１５５】
次に、要素動作リスト作成処理部２３は、現在の再生時刻、具体的には、ステップＳ１０で左クリックの操作を検出した時点の再生時刻を、原動画データから取得する（ステップＳ１２）。次に、要素動作リスト作成処理部２３は、その取得した再生時刻を、ステップＳ５で追加した行における、図６に示す所要時間情報１５０ｉの終了時刻を表す「終了」の欄に記入する（ステップ１３ａ）。
【０１５６】
次に、要素動作リスト作成処理部２３は、ステップＳ１３ａで設定した終了時刻からステップＳ８で設定した開示時刻を引き算して得られる所要時間を算出し、算出した所要時間を、図６に示す所要時間情報１５０ｉの「時間」の欄に記入する（ステップＳ１３ｂ）。
【０１５７】
次に、要素動作リスト作成処理部２３は、ステップＳ１３ｂで算出した秒単位の所要時間を３６００で割り算することにより、時間単位に換算し、換算した所要時間を、図６に示す所要時間情報１５０ｉの「Ｈｒ」の欄に記入する（ステップＳ１３ｃ）。
【０１５８】
次に、要素動作リスト作成処理部２３は、属性情報１５０ｈの雛型としての、図９に示した選択項目リスト１６０ａをユーザに提示する（ステップＳ１４）。なお、このステップＳ１４は、図１８に示した属性情報受け付け処理（ステップＳＵ４）に相当する。
【０１５９】
次に、要素動作リスト作成処理部２３は、動画再生画面１２０ｃ上で左クリックの操作がなされたか否かを判定し（ステップＳ１５）、左クリックの操作がなされていない場合には（ステップＳ１５；ＮＯ）、再びステップＳ１５に戻る。
【０１６０】
ステップＳ１５の判定が繰り返される間に、ユーザは、ステップＳ１４で提示された選択項目リスト１６０ａの中から、いま視聴した要素動作に該当する属性情報１５０ｈの組み合わせが記載された行を選択する。すると、要素動作リスト作成処理部２３は、その選択された行の記載内容を、要素動作リスト１５０ｊの属性情報１５０ｈの欄に反映させる。
【０１６１】
このようにして、ユーザは、いま視聴した要素動作に対する属性情報１５０ｈの指定を行う。なお、このとき、ステップＳ１１によって、原動画の再生が一時停止されているので、ユーザは、属性情報１５０ｈの指定をあせって行う必要がない。
【０１６２】
ユーザは、属性情報１５０ｈの指定が完了すると、図４に示す動画再生画面１２０ｃ上で左クリックの操作を行う。なお、この左クリックの操作は、属性情報１５０ｈの指定が完了したため、次の要素動作の所要時間の計測に移行する旨を表す。
【０１６３】
要素動作リスト作成処理部２３は、ステップＳ１５で左クリックの操作を検出すると（ステップＳ１５；ＹＥＳ）、再び、図１９Ａに示すステップＳ４に戻る。これにより、同様にして、次の要素動作について、所要時間の計測及び要素動作リスト１５０ｊへの新規行の追加がなされる。
【０１６４】
一方、要素動作リスト作成処理部２３は、図１９Ａに示すステップＳ３で、図５に示すチェックボックス１３０ｑにチェックが入れられていない場合は（ステップＳ３；ＮＯ）、ステップＳ１５に移行する。この場合、ユーザは、原動画の開始部分における要素動作と無関係の無関係映像の再生が終わったタイミングで、図４に示す動画再生画面１２０ｃ上で左クリックの操作を行う。この場合の左クリックの操作は、無関係映像の終了時点、即ち、最初の１つ目の要素動作の開始を表す区切り目の指定としての意味をもつ。
【０１６５】
また、要素動作リスト作成処理部２３は、図１９Ａに示すステップＳ９で、原動画の終了時刻が到来したならば（ステップＳ９；ＹＥＳ）、図１９Ｃに移る。
【０１６６】
図１９Ｃに示すように、要素動作リスト作成処理部２３は、原動画の終了時刻が到来した場合は（ステップＳ９；ＹＥＳ）、原動画再生処理部２２ａに原動画の再生を停止させ（ステップＳ１７）、現在再生されている要素動作についての開示時刻の設定がなされているか否かを判定する（ステップＳ１８）。
【０１６７】
要素動作リスト作成処理部２３は、開示時刻の設定がなされている場合は（ステップＳ１８；ＹＥＳ）、現在の再生時刻、具体的には、ステップＳ９で終了時刻の到来を検出した時点の再生時刻を、終了時刻として原動画データから取得する（ステップＳ１９）。
【０１６８】
そして、要素動作リスト作成処理部２３は、その開示時刻と終了時刻とを用いて所要時間情報１５０ｉにおける各項目の算出を行うべく、先の図１９Ｂに示したステップＳ１３ａ〜ステップＳ１３ｃよりなる終了時間設定処理（ステップ１３）と同一の処理を行い、本処理を終える。
【０１６９】
また、要素動作リスト作成処理部２３は、ステップＳ１８で、開示時刻の設定がなされていない場合は（ステップＳ１８；ＮＯ）、そのまま、本処理を終える。
【０１７０】
なお、要素動作リスト作成処理部２３は、ステップＳ９で、原動画の終了時刻の到来を検出した場合（ステップＳ９；ＹＥＳ）だけでなく、ユーザによって図５に示す停止ボタン１３０ｇが押下されたことを検出した場合（ステップＳ１６）も、同様にステップＳ１７以降の処理を行う。
【０１７１】
以上説明したように、本実施形態によれば、原動画データを再生しながら、区切りの指示と要素動作リスト１５０ｊの作成とを並行して行うことができる。このため、一旦全ての要素動作についての区切りのタイミングを表す区切り位置データの作成が完了した後に、各々の要素動作の内容を再生して再確認しながら属性情報１５０ｈを指定する場合に比べると、要素動作リスト１５０ｊを能率的に作成できる。
【０１７２】
［実施形態６］
上記実施形態５で、図５に示す再生ボタン１３０ｆと停止ボタン１３０ｇの各々に複数の機能をもたせてもよい。以下、その具体例について説明する。
【０１７３】
本実施形態では、図２に示す原動画再生処理部２２ａが、図５に示す再生ボタン１３０ｆと停止ボタン１３０ｇの機能を状況に応じて変化させる。
【０１７４】
図５を参照し、本実施形態に関わるＧＵＩについて説明する。コントロールエリア１３０は、実施形態５で述べたように原動画の再生と並行して所要時間の計測を行うか、所要時間の計測は行わずに、原動画の再生のみを行うかを、ユーザが予め選択するチェックボックス１３０ｒを有する。
【０１７５】
以下、図２０を参照し、原動画再生処理部２２ａが再生ボタン１３０ｆの機能を状況に応じて変化させる再生ボタン機能変更処理について説明する。
【０１７６】
図２０に示すように、原動画再生処理部２２ａは、図５に示す再生ボタン１３０ｆが押下されると（ステップＳ８０）、動画再生画面１２０ｃにて原動画の再生中か否かを判定する（ステップＳ８１）。
【０１７７】
原動画再生処理部２２ａは、原動画の再生中でないならば（ステップＳ８１；ＮＯ）、動画再生画面１２０ｃにて原動画の再生を開始させ（ステップＳ８２）、再生ボタン１３０ｆの表示を、一時停止に変更する（ステップＳ８３）。これにより、再生ボタン１３０ｆの機能が、再生開始の指示から、一時停止の指示へと変更される。
【０１７８】
一方、原動画再生処理部２２ａは、原動画の再生中であれば（ステップＳ８１；ＹＥＳ）、動画再生画面１２０ｃにおける原動画の再生を一時停止させ（ステップＳ８４）、再生ボタン１３０ｆの表示を、再生再開に変更する（ステップＳ８５）。これにより、再生ボタン１３０ｆの機能が、一時停止の指示から、再生開始の指示へと戻される。
【０１７９】
次に、原動画再生処理部２２ａは、ステップＳ８３又はステップＳ８５を経た後、図５に示す既述のチェックボックス１３０ｒにチェックが入れられているか否かを判定し（ステップＳ８６）、チェックボックス１３０ｒにチェックが入れられている場合は（ステップＳ８６；ＹＥＳ）、そのまま本処理を終える。
【０１８０】
一方、原動画再生処理部２２ａは、チェックボックス１３０ｒにチェックが入れられていない場合は（ステップＳ８６；ＮＯ）、既述の連続分析処理が行われるため、図５に示すモード表示欄１３０ｍの表示を、所要時間の計測を行う旨を表す「計測中」へと変更して（ステップＳ８７）、本処理を終える。これにより、ユーザは、現在計測中か計測停止中かを容易に知ることができる。
【０１８１】
次に、図２１を参照し、原動画再生処理部２２ａが停止ボタン１３０ｇの機能を状況に応じて変化させる停止ボタン機能変更処理について説明する。
【０１８２】
図２１に示すように、原動画再生処理部２２ａは、図５に示す停止ボタン１３０ｇが押下されると（ステップＳ９０）、動画再生画面１２０ｃにて原動画の再生中か否かを判定する（ステップＳ９１）。
【０１８３】
原動画再生処理部２２ａは、原動画の再生中であれば（ステップＳ９１；ＹＥＳ）、動画再生画面１２０ｃにおける原動画の再生を停止させ（ステップＳ９２）、再生ボタン１３０ｆの表示を、再生に変更する（ステップＳ９３）。これにより、再生ボタン１３０ｆの機能が、停止の指示から、再生の指示へと変更される。なお、ステップＳ９３は、再生ボタン１３０ｆの押下後に、一時停止に変更された再生ボタン１３０ｆの表示を、再生に戻す処理を表す。
【０１８４】
次に、原動画再生処理部２２ａは、図５に示す既述のチェックボックス１３０ｒにチェックが入れられているか否かを判定し（ステップＳ９４）、チェックボックス１３０ｒにチェックが入れられている場合は（ステップＳ９４；ＹＥＳ）、そのまま本処理を終える。
【０１８５】
一方、原動画再生処理部２２ａは、チェックボックス１３０ｒにチェックが入れられていない場合は（ステップＳ９４；ＮＯ）、既述の連続分析処理が行われるため、図５に示すモード表示欄１３０ｍの表示を、所要時間の計測を停止している旨を表す「計測停止」へと変更して（ステップＳ９５）、本処理を終える。これにより、ユーザは、現在計測中か計測停止中かを容易に知ることができる。
【０１８６】
以上説明したように、本実施形態によれば、再生ボタン１３０ｆと停止ボタン１３０ｇの各々に複数の機能が付与されるので、図５に示すコントロールエリア１３０を複雑化することなく、種々の機能を享受できる。
【０１８７】
［実施形態７］
上記実施形態１では、要素動作リスト１５０ｊ及び選択タイムライン１７０ｉといった表形式で作業のスケジュールを示したが、これらの構成を図案化したチャートをユーザが確認できるようにしてもよい。以下、その具体例について説明する。
【０１８８】
図２２に示すように、本実施形態では、要素動作リスト作成処理部２３で作成された要素動作リスト１５０ｊと、及び選択タイムライン作成支援処理部２４で作成された選択タイムライン１７０ｉとの構成を図案化したチャートを作成し、ユーザに提示する図案化手段としての図案化処理部２７の機能を、図１に示すＣＰＵ１４が有する。
【０１８９】
図２３に、図案化処理部２７によって提供されるＧＵＩであるチャート表示ウインドウ３００を示す。このチャート表示ウインドウ３００は、図６に示すタイムラインエリア１５０のチャート表示ボタン１５０ｅ、又は図８に示す選択タイムラインエリア１７０のチャート表示ボタン１７０ｊの押下により表示される。
【０１９０】
チャート表示ウインドウ３００は、要素動作を時系列に並べたガントチャートを作成し、表示欄３００ｈに表示させるチャートボタン３００ａを有する。図２３には、図６に示すタイムラインエリア１５０のチャート表示ボタン１５０ｅを押下したことで、要素動作リスト１５０ｊのガントチャートが表示欄３００ｈに表示された例を示すが、図８に示す選択タイムラインエリア１７０のチャート表示ボタン１７０ｊを押下した場合には、チャートボタン３００ａを押下することで、選択タイムライン１７０ｉのガントチャートが表示欄３００ｈに表示される。
【０１９１】
また、チャート表示ウインドウ３００は、円チャートを作成し、表示欄３００ｈに表示させる円チャートボタン３００ｂと、パレート図を作成し、表示欄３００ｈに表示させるパレート図ボタン３００ｃとを有する。
【０１９２】
また、チャート表示ウインドウ３００は、チャートにおいて、要素動作の所要時間の集計方法を指定する集計方法選択用チェックボックス３００ｄと、要素動作の所要時間を数値として併記させるか否かを選択する値表示設定用チェックボックス３００ｅとを有する。
【０１９３】
また、チャート表示ウインドウ３００は、作成されたチャートを画像データとしてクリップボードにコピーすることを指示するコピーボタン３００ｆと、作成されたチャートの印刷を指示する印刷ボタン３００ｇとを有する。
【０１９４】
図２４は、円チャートの表示例を示す。集計方法選択用チェックボックス３００ｄで「内容」にチェックを入れたため、要素動作が属性情報１５０ｈにおける「内容」の項目ごとに集計され、かつ値表示設定用チェックボックス３００ｅにチェックを入れなかったため、所要時間の数値表示が省略されている。
【０１９５】
図２５は、円チャートの他の表示例を示す。集計方法選択用チェックボックス３００ｄで「内容」にチェックを入れたため、要素動作が属性情報１５０ｈにおける「内容」の項目ごとに集計され、かつ値表示設定用チェックボックス３００ｅにチェックを入れたため、所要時間の内訳がパーセントとして数値表示されている。
【０１９６】
図２６は、円チャートのさらに他の表示例を示す。集計方法選択用チェックボックス３００ｄで「分類」にチェックを入れたため、要素動作が属性情報１５０ｈにおける「分類」の項目ごとに集計され、かつ値表示設定用チェックボックス３００ｅにチェックを入れなかったため、所要時間の数値表示が省略されている。
【０１９７】
図２７は、パレート図の表示例を示す。集計方法選択用チェックボックス３００ｄで「内容」にチェックを入れたため、要素動作が属性情報１５０ｈにおける「内容」の項目ごとに集計され、かつ値表示設定用チェックボックス３００ｅにチェックを入れなかったため、所要時間の数値表示が省略されている。
【０１９８】
図２８は、パレート図の他の表示例を示す。集計方法選択用チェックボックス３００ｄで「内容」にチェックを入れたため、要素動作が属性情報１５０ｈにおける「内容」の項目ごとに集計され、かつ値表示設定用チェックボックス３００ｅにチェックを入れたため、所要時間の内訳がパーセントとして数値表示されている。
【０１９９】
図２９は、パレート図のさらに他の表示例を示す。集計方法選択用チェックボックス３００ｄで「分類」にチェックを入れたため、要素動作が属性情報１５０ｈにおける「分類」の項目ごとに集計され、かつ値表示設定用チェックボックス３００ｅにチェックを入れなかったため、所要時間の数値表示が省略されている。
【０２００】
以上説明したように、本実施形態によれば、要素動作リスト１５０ｊ及び選択タイムライン１７０ｉのチャート又はグラフが作成されるので、ユーザはこれらの構成を視覚的に把握できる。特に、選択タイムライン１７０ｉのチャート又はグラフが作成されるので、ユーザは、自ら立案した選択タイムライン１７０ｉの妥当性の評価を容易に行える。
【０２０１】
また、属性情報１５０ｈが、互いに観点の異なる第１項目としての「内容」と、第２項目としての「分類」とを含み、図案化処理部２７が、「内容」について集計したチャートを作成するか、「分類」について集計したチャートを作成するかを予め設定する設定環境を提供する。このため、ユーザは、自ら立案した選択タイムライン１７０ｉの妥当性を種々の観点から確認することができる。
【０２０２】
以上、本発明の実施形態について説明した。本発明はこれに限られず、以下に述べる変形も可能である。
【０２０３】
上記実施形態では、ラインにおける一連の作業を撮影した原動画データを処理の対象としたが、ここでいう作業とは、組み立てや塗装といった製造に関わる作業に限られず、保守や点検といった、製造を伴わない作業も含む概念とする。また、作業とは、人によってなされるものに限られず、機械が行う作業も含む概念とする。
【０２０４】
上記実施形態では、計画支援装置１０がカメラ１１を備えたが、カメラ１１は必須ではない。計画支援装置１０は、ネットワークを介して、カメラ１１以外の端末やサーバから原動画データを取得することもできる。
【０２０５】
上記実施形態では、入力部１７がマウスとキーボードで構成された例について述べたが、入力部１７は、表示部１６と協働で構成されるタッチスクリーンであってもよいし、表示部１６上に表示されるソフトウエアキーボードを備えてもよい。
【０２０６】
上記実施形態では、図案化処理部２７が、選択タイムライン１７０ｉと要素動作リスト１５０ｊの双方のチャートを作成したが、図案化処理部２７が、選択タイムライン１７０ｉと要素動作リスト１５０ｊのうち、選択タイムライン１７０ｉのみのチャートを作成するようにしてもよい。また、チャートとしては、ガントチャート、円チャート、及びパレート図に限られず、図案化処理部２７がこれら以外のチャートを作成してもよい。
【０２０７】
図１に示した計画支援プログラム１３ａをコンピュータにインストールすることで、そのコンピュータを計画支援装置１０として機能させることもできる。コンピュータとしては、例えば、ノート型のパソコン、デスクトップ型のパソコン、又はタブレット型の端末を用いることができる。計画支援プログラム１３ａは、通信回線を介して配布してもよいし、光ディスク、磁気ディスク、光磁気ディスク、フラッシュメモリといったコンピュータ読み取り可能な記録媒体に格納して配布してもよい。
【符号の説明】
【０２０８】
１０…計画支援装置、
１１…カメラ、
１２…接続インターフェース、
１３…補助メモリ、
１３ａ…計画支援プログラム、
１３ｂ…データ群、
１３ｃ…原動画データ群、
１３ｄ…タイムラインデータ、
１３ｅ…選択タイムラインデータ、
１４…ＣＰＵ、
１５…主メモリ、
１６…表示部、
１７…入力部（区切り指示手段）、
１８…ネットワーク接続部、
２１…原動画データ取得処理部（原動画データ取得手段）、
２２…区切り位置データ作成処理部（区切り位置データ作成手段）、
２２ａ…原動画再生処理部（原動画再生手段）、
２２ｂ…区切り指示受付処理部、
２２ｃ…経過時刻データ作成処理部（経過時刻データ作成手段）
２３…要素動作リスト作成処理部（要素動作リスト作成手段）、
２４…選択タイムライン作成支援処理部（選択タイムライン作成支援手段）、
２５…選択タイムライン動画再生処理部（選択タイムライン動画再生手段）、
２６…保存／読み出し処理部（要素動作リスト蓄積手段）、
２７…図案化処理部（図案化手段）、
１００…メイン画面、
１１０…メニューエリア、
１１０ａ…メニューボタン、
１１０ｂ…オプションボタン、
１１０ｃ…ライセンスボタン、
１１０ｄ…バージョン情報ボタン、
１２０…動画エリア、
１２０ａ…動画選択ボタン、
１２０ｂ…選択動画ファイル名表示部、
１２０ｃ…動画再生画面
１３０…コントロールエリア、
１３０ａ〜１３０ｄ…スキップボタン、
１３０ｅ…動画スライダ、
１３０ｆ…再生ボタン、
１３０ｇ…停止ボタン、
１３０ｈ…再生速度表示部、
１３０ｉ…再生速度スライダ、
１３０ｊ…標準速度ボタン、
１３０ｋ…現在位置／総時間表示部、
１３０ｍ…モード表示欄、
１３０ｐ…スナップショットボタン、
１３０ｑ〜１３０ｓ…チェックボックス、
１４０…情報分析エリア、
１４０ａ…分析内容欄、
１４０ｂ…オーダー欄、
１４０ｃ…工程名欄、
１４０ｄ…作業者欄、
１４０ｅ…機種名欄、
１４０ｆ…撮影日欄、
１４０ｇ…観測日欄、
１４０ｈ…観測者名欄、
１５０…タイムラインエリア、
１５０ａ…項目追加ボタン、
１５０ｂ…項目削除ボタン、
１５０ｃ…表データボタン、
１５０ｄ…リストクリアボタン、
１５０ｅ…チャート表示ボタン、
１５０ｆ…再生ボタン、
１５０ｇ…停止ボタン、
１５０ｈ…属性情報、
１５０ｉ…所要時間情報、
１５０ｊ…要素動作リスト、
１５０ｎ…選択タイムライン表示ボタン、
１６０…選択項目リストエリア、
１６０ａ…選択項目リスト、
１６０ｂ…ファイル読込ボタン、
１６０ｃ…ファイル保存ボタン、
１６０ｄ…項目追加ボタン、
１６０ｅ…項目削除ボタン、
１７０…選択タイムラインエリア、
１７０ａ…全体表示ボタン、
１７０ｂ…部分表示ボタン、
１７０ｃ…選択コピーボタン、
１７０ｄ…挿入ボタン、
１７０ｅ…削除ボタン、
１７０ｆ…順番繰り上げボタン、
１７０ｇ…順番繰り下げボタン、
１７０ｈ…選択タイムライン作成エリア、
１７０ｉ…選択タイムライン、
１７０ｊ…チャート表示ボタン、
１７０ｍ…再生ボタン、
１７０ｎ…停止ボタン、
２００…フォルダ設定画面、
２００ａ…動画フォルダ欄、
２００ｂ…プロジェクトフォルダ欄、
２００ｃ…選択リストフォルダ欄、
２００ｅ…動画フォルダ参照ボタン、
２００ｆ…プロジェクトフォルダ参照ボタン、
２００ｇ…選択リストフォルダ参照ボタン、
２００ｈ…タイムライン出力フォルダ参照ボタン、
２００ｄ…タイムライン出力フォルダ欄、
２００ｊ…ＯＫボタン、
２１０…スキップ速度設定画面、
２１０ａ〜２１０ｄ…スキップ速度表示欄、
２１０ｅ〜２１０ｈ…スキップ速度調整ボタン、
２１０ｊ…設定更新ボタン、
２１０ｋ…キャンセルボタン、
３００…チャート表示ウインドウ、
３００ｈ…表示欄、
３００ａ…チャートボタン、
３００ｂ…円チャートボタン、
３００ｃ…パレート図ボタン、
３００ｄ…集計方法選択用チェックボックス、
３００ｅ…値表示設定用チェックボックス、
３００ｆ…コピーボタン、
３００ｇ…印刷ボタン。
【図１】
2019061521.tif 000003
【図２】
2019061521.tif 000004
【図３】
2019061521.tif 000005
【図４】
2019061521.tif 000006
【図５】
2019061521.tif 000007
【図６】
2019061521.tif 000008
【図７】
2019061521.tif 000009
【図８】
2019061521.tif 000010
【図９】
2019061521.tif 000011
【図１０】
2019061521.tif 000012
【図１１】
2019061521.tif 000013
【図１２】
2019061521.tif 000014
【図１３】
2019061521.tif 000015
【図１４】
2019061521.tif 000016
【図１５】
2019061521.tif 000017
【図１６】
2019061521.tif 000018
【図１７】
2019061521.tif 000019
【図１８】
2019061521.tif 000020
【図１９Ａ】
2019061521.tif 000021
【図１９Ｂ】
2019061521.tif 000022
【図１９Ｃ】
2019061521.tif 000023
【図２０】
2019061521.tif 000024
【図２１】
2019061521.tif 000025
【図２２】
2019061521.tif 000026
【図２３】
2019061521.tif 000027
【図２４】
2019061521.tif 000028
【図２５】
2019061521.tif 000029
【図２６】
2019061521.tif 000030
【図２７】
2019061521.tif 000031
【図２８】
2019061521.tif 000032
【図２９】
2019061521.tif 000033
【手続補正書】
【提出日】平成30年11月13日(2018.11.13)
【手続補正１】
【補正対象書類名】明細書
【補正対象項目名】０００８
【補正方法】変更
【補正の内容】
【０００８】
上記目的を達成するために、本発明に係る計画支援装置は、
複数の要素動作によって構成される一連の作業を撮影することにより得られた原動画データを取得する原動画データ取得手段と、
前記原動画データ取得手段によって取得された前記原動画データを用いて、各々の前記要素動作の前記一連の作業の中における区切り目の、前記原動画データにおける時間軸上の位置を特定する区切り位置データを作成する区切り位置データ作成手段と、
各々の前記要素動作に対して、該要素動作の属性を表す属性情報をユーザから受け付けると共に、前記区切り位置データ作成手段によって作成される前記区切り位置データが表す前記区切り目同士の前記時間軸上の間隔によって特定される該要素動作の所要時間を算出することにより、前記要素動作別に前記属性情報と前記所要時間とが対応付けられた要素動作リストを作成する要素動作リスト作成手段と、
前記要素動作リスト作成手段によって作成された前記要素動作リストを、該要素動作リストを作成する元となった前記原動画データを特定する原動画データ特定情報と対応付けて蓄積する処理を行う要素動作リスト蓄積手段と、
前記要素動作リスト蓄積手段によって過去に蓄積された前記要素動作リストの中から、所望の複数の前記要素動作リストを、前記原動画データ特定情報を指定することにより選択する選択環境をユーザに提供し、前記選択環境において選択された複数の前記要素動作リストをユーザに提示すると共に、ユーザが、前記選択環境において選択した複数の前記要素動作リストの中から所望の複数の前記要素動作を、該要素動作の間の時間順序を指定する態様で選択することにより、選択された前記要素動作を、指定された前記時間順序で遂行する旨を表す選択タイムラインを作成する作成環境を提供する選択タイムライン作成支援手段と、
前記区切り位置データと前記原動画データとを用いて、前記選択タイムラインが表す内容に従って、前記選択された前記要素動作が前記指定された前記時間順序で推移する選択タイムライン動画を再生する選択タイムライン動画再生手段と、
ユーザが前記作成環境を用いて作成した前記選択タイムラインと、該選択タイムラインを作成するためにユーザが前記選択環境において選択した複数の前記要素動作リストとの組み合わせを蓄積する処理を行うプロジェクト保存手段と、
を備える。
【手続補正２】
【補正対象書類名】明細書
【補正対象項目名】０１０７
【補正方法】変更
【補正の内容】
【０１０７】
図２に示す選択タイムライン作成支援処理部２４は、保存／読み出し処理部２６によって過去に蓄積された要素動作リスト１５０ｊの中から、所望の１つ又は複数の要素動作リスト１５０ｊを、原動画データ特定情報を指定することにより選択する選択環境をユーザに提供し、ユーザが選択した要素動作リスト１５０ｊをユーザに提示する。
【手続補正３】
【補正対象書類名】特許請求の範囲
【補正対象項目名】全文
【補正方法】変更
【補正の内容】
【特許請求の範囲】
【請求項１】
複数の要素動作によって構成される一連の作業を撮影することにより得られた原動画データを取得する原動画データ取得手段と、
前記原動画データ取得手段によって取得された前記原動画データを用いて、各々の前記要素動作の前記一連の作業の中における区切り目の、前記原動画データにおける時間軸上の位置を特定する区切り位置データを作成する区切り位置データ作成手段と、
各々の前記要素動作に対して、該要素動作の属性を表す属性情報をユーザから受け付けると共に、前記区切り位置データ作成手段によって作成される前記区切り位置データが表す前記区切り目同士の前記時間軸上の間隔によって特定される該要素動作の所要時間を算出することにより、前記要素動作別に前記属性情報と前記所要時間とが対応付けられた要素動作リストを作成する要素動作リスト作成手段と、
前記要素動作リスト作成手段によって作成された前記要素動作リストを、該要素動作リストを作成する元となった前記原動画データを特定する原動画データ特定情報と対応付けて蓄積する処理を行う要素動作リスト蓄積手段と、
前記要素動作リスト蓄積手段によって過去に蓄積された前記要素動作リストの中から、所望の複数の前記要素動作リストを、前記原動画データ特定情報を指定することにより選択する選択環境をユーザに提供し、前記選択環境において選択された複数の前記要素動作リストをユーザに提示すると共に、ユーザが、前記選択環境において選択した複数の前記要素動作リストの中から所望の複数の前記要素動作を、該要素動作の間の時間順序を指定する態様で選択することにより、選択された前記要素動作を、指定された前記時間順序で遂行する旨を表す選択タイムラインを作成する作成環境を提供する選択タイムライン作成支援手段と、
前記区切り位置データと前記原動画データとを用いて、前記選択タイムラインが表す内容に従って、前記選択された前記要素動作が前記指定された前記時間順序で推移する選択タイムライン動画を再生する選択タイムライン動画再生手段と、
ユーザが前記作成環境を用いて作成した前記選択タイムラインと、該選択タイムラインを作成するためにユーザが前記選択環境において選択した複数の前記要素動作リストとの組み合わせを蓄積する処理を行うプロジェクト保存手段と、
を備える、計画支援装置。
【請求項２】
前記区切り位置データ作成手段が、
前記原動画データが表す原動画を再生する原動画再生手段と、
ユーザが、前記原動画再生手段によって再生される前記原動画を見ながら、前記要素動作の区切り目となるタイミングで区切りを指示するための区切り指示手段と、
前記区切り指示手段によって前記区切りが指示されるたびに、該指示が与えられたタイミングの、前記原動画データにおける前記時間軸上の原点からの経過時刻を表す経過時刻データを作成する経過時刻データ作成手段と、を有し、
前記区切り位置データが、前記区切りの指示の各々に対して前記経過時刻データ作成手段によって作成された前記経過時刻データによって構成されている、
請求項１に記載の計画支援装置。
【請求項３】
前記要素動作リスト作成手段が、
前記区切り指示手段によって区切りが指示されるたびに、前記原動画再生手段による前記原動画の再生を一時停止させる再生一時停止処理と、
前記原動画の再生が一時停止された状態で、前記区切り指示手段によって前回指示された区切りから今回指示された区切りまでの前記原動画の内容が表す前記要素動作について、前記属性情報の指定を受け付ける属性情報受け付け処理と、
該要素動作についての前記属性情報がユーザによって指定された場合に、該要素動作と、該属性情報と、該前回指示された区切りについての前記経過時刻データと、該今回指示された区切りについての前記経過時刻データと、の対応付けを行うと共に、前記原動画再生手段による前記原動画の再生を再開させる再生再開処理と、
を行う、請求項２に記載の計画支援装置。
【請求項４】
前記原動画再生手段が、
前記区切り指示手段による、前記一連の作業における最初の１つ目の前記要素動作の始まりを表す前記区切りの指示を、前記原動画再生手段に対する前記原動画の再生開始の指示と兼ねるか否かを予め設定する環境をユーザに提供する、
請求項２又は３に記載の計画支援装置。
【請求項５】
前記要素動作リスト作成手段が、
前記属性情報をユーザから受け付ける際に、該属性情報を構成する項目を表す雛型をユーザに提示する属性情報入力支援処理を行う、
請求項１から４のいずれか１項に記載の計画支援装置。
【請求項６】
ユーザが、前記選択タイムラインを作成する際に、前記要素動作リストの中から任意の前記要素動作を仮選択することができ、
前記選択タイムライン作成支援手段が、前記区切り位置データと前記原動画データとを用いて、前記一連の作業のうち前記仮選択された前記要素動作のみを表す動画を再生する制御を行う、
請求項１から５のいずれか１項に記載の計画支援装置。
【請求項７】
前記選択タイムラインの構成を図案化したチャートを作成し、ユーザに提示する図案化手段、をさらに備える、
請求項１から６のいずれか１項に記載の計画支援装置。
【請求項８】
前記属性情報が、互いに観点の異なる第１項目と第２項目とを含み、
前記図案化手段が、前記第１項目について集計した前記チャートを作成するか、前記第２項目について集計した前記チャートを作成するかを予め設定する設定環境を提供する、
請求項７に記載の計画支援装置。
【請求項９】
複数の要素動作によって構成される一連の作業を撮影することにより得られた原動画データを用いて、各々の前記要素動作の前記一連の作業の中における区切り目の、前記原動画データにおける時間軸上の位置を特定する区切り位置データを作成する区切り位置データ作成ステップと、
各々の前記要素動作に対して、該要素動作の属性を表す属性情報をユーザから受け付けると共に、前記区切り位置データ作成ステップにおいて作成される前記区切り位置データが表す前記区切り目同士の前記時間軸上の間隔によって特定される該要素動作の所要時間を算出することにより、前記要素動作別に前記属性情報と前記所要時間とが対応付けられた要素動作リストを作成する要素動作リスト作成ステップと、
前記要素動作リスト作成ステップにおいて作成された前記要素動作リストを、該要素動作リストを作成する元となった前記原動画データを特定する原動画データ特定情報と対応付けて蓄積する処理を行う要素動作リスト蓄積ステップと、
前記要素動作リスト蓄積ステップにおいて過去に蓄積された前記要素動作リストの中から、所望の複数の前記要素動作リストを、前記原動画データ特定情報を指定することにより選択する選択環境をユーザに提供し、前記選択環境において選択された複数の前記要素動作リストをユーザに提示すると共に、ユーザが、前記選択環境において選択した複数の前記要素動作リストの中から所望の複数の前記要素動作を、該要素動作の間の時間順序を指定する態様で選択することにより、選択された前記要素動作を、指定された前記時間順序で遂行する旨を表す選択タイムラインを作成する作成環境を提供する選択タイムライン作成ステップと、
前記区切り位置データと前記原動画データとを用いて、前記選択タイムラインが表す内容に従って、前記選択された前記要素動作が前記指定された前記時間順序で推移する選択タイムライン動画を再生する選択タイムライン動画再生ステップと、
ユーザが前記作成環境を用いて作成した前記選択タイムラインと、該選択タイムラインを作成するためにユーザが前記選択環境において選択した複数の前記要素動作リストとの組み合わせを蓄積する処理を行うプロジェクト保存ステップと、
を含む、計画支援方法。
【請求項１０】
コンピュータに、
複数の要素動作によって構成される一連の作業を撮影することにより得られた原動画データを取得する原動画データ取得機能と、
前記原動画データ取得機能によって取得された前記原動画データを用いて、各々の前記要素動作の前記一連の作業の中における区切り目の、前記原動画データにおける時間軸上の位置を特定する区切り位置データを作成する区切り位置データ作成機能と、
各々の前記要素動作に対して、該要素動作の属性を表す属性情報をユーザから受け付けると共に、前記区切り位置データ作成機能によって作成される前記区切り位置データが表す前記区切り目同士の前記時間軸上の間隔によって特定される該要素動作の所要時間を算出することにより、前記要素動作別に前記属性情報と前記所要時間とが対応付けられた要素動作リストを作成する要素動作リスト作成機能と、
前記要素動作リスト作成機能によって作成された前記要素動作リストを、該要素動作リストを作成する元となった前記原動画データを特定する原動画データ特定情報と対応付けて蓄積する処理を行う要素動作リスト蓄積機能と、
前記要素動作リスト蓄積機能によって過去に蓄積された前記要素動作リストの中から、所望の複数の前記要素動作リストを、前記原動画データ特定情報を指定することにより選択する選択環境をユーザに提供し、前記選択環境において選択された複数の前記要素動作リストをユーザに提示すると共に、ユーザが、前記選択環境において選択した複数の前記要素動作リストの中から所望の複数の前記要素動作を、該要素動作の間の時間順序を指定する態様で選択することにより、選択された前記要素動作を、指定された前記時間順序で遂行する旨を表す選択タイムラインを作成する作成環境を提供する選択タイムライン作成支援機能と、
前記区切り位置データと前記原動画データとを用いて、前記選択タイムラインが表す内容に従って、前記選択された前記要素動作が前記指定された前記時間順序で推移する選択タイムライン動画を再生する選択タイムライン動画再生機能と、
ユーザが前記作成環境を用いて作成した前記選択タイムラインと、該選択タイムラインを作成するためにユーザが前記選択環境において選択した複数の前記要素動作リストとの組み合わせを蓄積する処理を行うプロジェクト保存機能と、
を実現させる、計画支援プログラム。